(57)【要約】本発明は、データ入力装置に関し、第１文字を入力するための１段入力及び第２文字を入力するための２段入力がそれぞれ独立的に遂行可能に設けられた複数の入力キーと、前記各入力キーへの１段入力及び２段入力を感知する感知部と、前記感知部の感知結果に基づき、該当入力キーに重複して割り当てられた第１文字または第２文字をメモリ部から抽出して入力する制御部と、を備える。従来の入力キーの入力方式を改善し、１つの入力キーにおいて１段入力及び２段入力が独立的に行われ、さらに、組合せ入力、順次入力、イベント入力等を活用することにより、限定された数の入力キーにおいて、入力容量を極大化すると共に、迅速かつ正確な入力が可能である。
2009545830.tif 000002
【特許請求の範囲】
【請求項１】
第１文字を入力するための１段入力及び第２文字を入力するための２段入力がそれぞれ独立的に遂行可能に設けられた複数の入力キーと、
前記各入力キーへの１段入力及び２段入力を感知する感知部と、
前記感知部の感知結果に基づき、該当入力キーに重複して割り当てられた第１文字または第２文字をメモリ部から抽出して入力する制御部と、を備えるデータ入力装置。
【請求項２】
前記１段入力は、前記各入力キーへの接触または近接によるタッチ入力で行われ、前記２段入力は、前記各入力キーが上下に移動する押圧入力で行われ、
前記感知部は、前記タッチ入力を感知するタッチ感知部と、前記押圧入力を感知する押圧感知部とを有することを特徴とする請求項１に記載のデータ入力装置。
【請求項３】
前記１段入力及び２段入力は、前記入力キーの上下移動距離または押圧圧力の強さにより区分される押圧入力で行われ、
前記感知部は、前記入力キーの移動により切り替えられる押圧スイッチまたは前記入力キーへの加圧力を感知する圧力センサのいずれか一つであることを特徴とする請求項１に記載のデータ入力装置。
【請求項４】
前記押圧入力は、前記入力キーの上下移動距離または押圧圧力の強さにより、２段以上の多段入力が可能になることを特徴とする請求項２に記載のデータ入力装置。
【請求項５】
前記２段の押圧入力にはクリック手段が設けられ、１段の押圧入力と区分されることを特徴とする請求項３または４に記載のデータ入力装置。
【請求項６】
入力キーの数は、移動体通信端末で用いられる４×３配列方式に１つのキーをさらに追加し、合計１３個であることを特徴とする請求項１に記載のデータ入力装置。
【請求項７】
前記複数の入力キーは、２以上の行と列からなる長方形の配列形態を有することを特徴とする請求項１に記載のデータ入力装置。
【請求項８】
前記各入力キーには、所定の字音文字及び母音文字が同時に割り当てられ、
前記各入力キーと組合せ入力により、前記母音文字に転換して入力するための転換入力部をさらに有し、
前記転換入力部は、前記入力キーの配列の内部または外部のいずれか一つ以上に設けられることを特徴とする請求項７に記載のデータ入力装置。
【請求項９】
前記複数の入力キーは、所定の半径を有する円の円周上に配置されることを特徴とする請求項１に記載のデータ入力装置。
【請求項１０】
前記各入力キーは、全体的にリング状を有し、一体型であることを特徴とする請求項７に記載のデータ入力装置。
【請求項１１】
前記各入力キーは、入力領域の両側に２揃いで設けられることを特徴とする請求項１、９、または１０に記載のデータ入力装置。
【請求項１２】
前記タッチ入力は、２以上の入力キーが順次接触されて行われるスキム入力が可能であることを特徴とする請求項２に記載のデータ入力装置。
【請求項１３】
前記複数の入力キーには、ハングル文字、英語文字が各入力キーに１つまたは２つ以上重複して配置されるが、
文字入力の際によく用いられる連字音または連母音は、隣接した前記入力キーに連続して配置されることを特徴とする請求項１〜４、６〜１０または１２のいずれか一項に記載のデータ入力装置。
【請求項１４】
前記複数の入力キーは、字音文字が割り当てられた字音入力キーセットと、母音文字が入力された母音入力キーセットに分割され、
前記字音入力キーセット及び母音入力キーセットは、前記スキム入力が行われる場合、字音、母音または字音、母音、字音の順で、前記各入力キーが順次タッチされるように配置されることを特徴とする請求項１〜４、６〜１０または１２のいずれか一項に記載のデータ入力装置。
【請求項１５】
前記複数の入力キーは、字音文字が割り当てられた字音入力キーセットと、母音文字が入力された母音入力キーセットに分割され、
前記字音入力キーセット及び母音入力キーセットは、前記スキム入力が行われる場合、字音、字音、母音または母音、字音、字音の順で、前記各入力キーが順次タッチされるように配置されることを特徴とする請求項１〜４、６〜１０または１２のいずれか一項に記載のデータ入力装置。
【請求項１６】
前記入力キーは、第１入力キーと、前記第１入力キーの内側または外側に隣接して設けられる第２入力キーとを有し、
前記制御部は、前記第１入力キーと第２入力キーを所定の時間内に同時に選択する組合せ入力が行われる場合、該当入力キーに元々割り当てられた文字とは異なる第３文字をメモリ部から抽出して入力することを特徴とする請求項１に記載のデータ入力装置。
【請求項１７】
前記各第１入力キー及び第２入力キーの組合せ入力によっては、母音文字が入力されることを特徴とする請求項１６に記載のデータ入力装置。
【請求項１８】
前記感知部は、前記各第１入力キー及び第２入力キー毎に複数個設けられることを特徴とする請求項１６に記載のデータ入力装置。
【請求項１９】
前記制御部は、前記感知部を通じて感知された前記第１入力キーと第２入力キーの感知信号のうち、所定の時間以上維持される信号のみを有効な信号と判断して入力を行うことを特徴とする請求項１６に記載のデータ入力装置。
【請求項２０】
前記第１入力キー、第２入力キー、及び感知部は、前記入力領域に２揃いで設けられることを特徴とする請求項１６に記載のデータ入力装置。
【請求項２１】
前記複数の入力キーに隣接して設けられる転換入力部をさらに備え、
前記制御部が、前記入力キー及び転換入力部が順次選択される順次入力により、第４文字をメモリ部から抽出して入力することを特徴とする請求項１〜４または９〜１２のいずれか一項に記載のデータ入力装置。
【請求項２２】
前記各入力キーの単独入力によっては、第１文字または第２文字が入力され、
前記入力キー、転換入力部の順序による順次入力によっては第４文字が入力されるが、反対の順序による順次入力によっては入力されないことを特徴とする請求項２１に記載のデータ入力装置。
【請求項２３】
前記各入力キーの単独入力によっては、第１文字または第２文字が入力され、
前記転換入力部、入力キーの順序による順次入力によっては第４文字が入力されるが、反対の順序による順次入力によっては入力されないことを特徴とする請求項２１に記載のデータ入力装置。
【請求項２４】
前記複数の入力キーは、円形で配置され、
前記制御部は、円周方向に沿って複数の入力キーが順次選択される円周入力が行われる場合、最後に選択された入力キーに割り当てられた文字のみを有効に抽出して入力することを特徴とする請求項２１に記載のデータ入力装置。
【請求項２５】
前記複数の入力キーは、円形で配置され、
前記各入力キーの半径方向へのスキムを感知する第２タッチ感知部をさらに備え、
前記タッチ入力または押圧入力によっては第１文字または第２文字が入力され、
前記入力キーへの半径方向のタッチによっては第４文字が入力されることを特徴とする請求項２に記載のデータ入力装置。
【請求項２６】
前記各入力キーには、割り当てられた第４文字を入力するための前記順次入力の方向が表示されることを特徴とする請求項２２または２３に記載のデータ入力装置。
【請求項２７】
前記複数の入力キー、転換入力部、及び感知部は、前記入力領域に２揃いで設けられることを特徴とする請求項２１に記載のデータ入力装置。
【請求項２８】
前記複数の入力キーは、円形で配置され、各入力キーには、第５文字が重複して割り当てられ、
前記制御部は、イベント入力が感知された場合、前記第５文字をメモリ部から抽出して入力することを特徴とする請求項２に記載のデータ入力装置。
【請求項２９】
前記イベント入力は、前記スキム入力中に、所定の入力キーから指を離してタッチ感知信号が解除され、または、所定の入力キーへのタッチ感知信号が所定の時間以上持続的に発生することによって行われることを特徴とする請求項２８に記載のデータ入力装置。
【請求項３０】
前記イベント入力は、前記入力キーの押圧方向の横方向への側面を押しても行われることを特徴とする請求項９、１０または２８に記載のデータ入力装置。
【請求項３１】
前記タッチ感知部は、前記各入力キーへのタッチまたは円周方向へのスキムを感知する第１タッチ感知部と、前記各入力キーへの半径方向へのスキムを感知する第２タッチ感知部とを有し、
前記制御部が、前記第１タッチ感知部の感知信号が受信されると前記第１文字を、前記第２タッチ感知部の感知信号が受信されると、これをイベント入力として判断し、前記第５文字をメモリ部から抽出して入力することを特徴とする請求項９、１０または２８に記載のデータ入力装置。
【請求項３２】
前記入力キーは、円形で配置された第１入力キーと、前記第１入力キーの内側または外側に隣接して設けられる第２入力キーとからなることを特徴とする請求項２８〜３１のいずれか一項に記載のデータ入力装置。
【請求項３３】
前記制御部は、前記第１入力キーと第２入力キーを所定の時間内に同時に選択する組合せ入力が行われる場合、該当入力キーに元々割り当てられた文字とは異なる第３文字をメモリ部から抽出して入力することを特徴とする請求項３２に記載のデータ入力装置。
【請求項３４】
前記第２入力キーは、所定の放射方向に移動可能になっており、
前記第２入力キーの放射状移動を感知する移動感知部をさらに有し、
前記制御部が、前記第２入力キーの移動が感知された該当放射方向に割り当てられた第６文字をメモリ部から抽出して入力することを特徴とする請求項９、１０または３２に記載のデータ入力装置。
【請求項３５】
前記タッチ感知部は、前記第２入力キーの前記各放射方向へのタッチ移動を感知可能になっており、
前記制御部が、前記第２入力キーに行われたタッチ移動の方向により、該当放射方向に割り当てられた第６文字をメモリ部から抽出して入力することを特徴とする請求項９、１０または３２に記載のデータ入力装置。
【請求項３６】
前記複数の入力キー及び感知部は、前記入力領域に２揃いで設けられることを特徴とする請求項２８に記載のデータ入力装置。
【請求項３７】
入力領域において所定の半径を有する円に放射状で配置され、タッチにより第１文字を入力するたの１段入力と、押圧により第２文字を入力するための２段入力とがそれぞれ独立的に行われるように設けられる８つの第１入力キーと、
前記第１入力キーの内部または外部に設けられる第２入力キーと、
前記１段入力または２段入力を感知する第１入力キー感知部と、
前記第２入力キーの選択を感知する第２入力キー感知部と、
前記第１入力キー感知部の感知結果に基づき、該当第１入力キーに割り当てられた第１文字または第２文字をメモリ部から抽出して入力し、前記第１入力キー感知部及び第２入力キー感知部で所定の時間以内に同時に感知信号が発生する場合、第３文字をメモリから抽出して入力する制御部と、を備えるデータ入力装置。
【請求項３８】
前記第３文字は、母音文字であることを特徴とする請求項３７に記載のデータ入力装置。
【請求項３９】
入力領域において所定の半径を有する円に放射状で配置され、タッチにより第１文字を入力するたの１段入力と、押圧により第２文字を入力するための２段入力とがそれぞれ独立的に行われるように設けられる複数の第１入力キーと、
前記第１入力キーの内部または外部に設けられ、タッチまたは押圧のいずれかの方法で第７文字を入力するための１つ以上の第２入力キーと、
前記１段入力または２段入力を感知する第１入力キー感知部と、
前記第２入力キーの選択を感知する第２入力キー感知部と、
前記第１入力キー感知部の感知結果に基づき、該当第１入力キーまたは第２入力キーに割り当てられた第１文字、第２文字、または第７文字をメモリ部から抽出して入力する制御部と、を備えるデータ入力装置。
【請求項４０】
前記制御部は、複数の前記第１入力キーまたは第２入力キーを連続して入力するスキム入力が行われる場合、最初の入力信号、所定の時間維持される入力信号、または解除される入力信号のいずれかの方法で、該当入力キーに割り当てられた文字が入力されることを特徴とする請求項３９に記載のデータ入力装置。
【請求項４１】
入力領域において所定の半径を有する円に放射状で配置され、タッチにより第１文字を入力するたの１段入力と、押圧により第２文字を入力するための２段入力とがそれぞれ独立的に行われるように設けられる複数の第１入力キーと、
前記第１入力キーの内部または外部に設けられる第２の入力キーと、
前記１段入力または２段入力を感知する第１入力キー感知部と、
前記第２入力キーの選択を感知する第２入力キー感知部と、
前記第１入力キー感知部の感知結果に基づき、該当第１入力キーまたは第２入力キーに割り当てられた第１文字、第２文字をメモリ部から抽出して入力し、または、第１入力キー感知部と第２入力キー感知部で所定の時間内に同時に感知される組合せ入力が行われる場合、第３文字を割り当てる制御部と、を備え、
前記制御部は、複数の前記第１入力キーを連続して入力するスキム入力が行われる場合、最初の入力信号、所定の時間維持される入力信号、または解除される入力信号のいずれかの方法で、該当入力キーに割り当てられた文字が入力されるデータ入力装置。
【請求項４２】
前記第１入力キーは８つであり、前記第２入力キーは、４つの入力位置を有することを特徴とする請求項４０または４１に記載のデータ入力装置。
【請求項４３】
入力領域において所定の半径を有する円に放射状で配置される８つの第１入力キーと、
前記第１の入力キーの内部または外部に設けられる第２入力キーと、
前記円の中心に設けられる内部入力キーと、
前記第１入力キーの選択を感知する第１入力キー感知部と、
前記第２入力キーの選択を感知する第２入力キー感知部と、
前記内部入力キーの選択を感知する内部入力キー感知部と、
前記各入力キー感知部の感知結果に基づき、該当入力キーに文字をメモリ部から抽出して入力する制御部と、を備え、
前記第１入力キー、第２入力キー、または内部入力キーの１つ以上は、多段入力が可能に設けられるデータ入力装置。
【発明の詳細な説明】
【技術分野】
【０００１】
本発明は、データ入力装置に関し、特に、従来の入力キーの入力方式を改善し、１つの入力キーにおいて１段入力及び２段入力が独立的に行われ、さらに、組合せ入力、順次入力、イベント入力等を活用することにより、限定された数の入力キーにおいて、入力容量を極大化すると共に、迅速かつ正確な入力が可能なデータ入力装置に関する。
【背景技術】
【０００２】
最近、ソフトウエアと半導体技術及び情報処理技術が飛躍的に発達することにより、携帯電話、ＰＤＡ等の各種の情報機器が、次第に小型化かつ多機能化する趨勢にあり、これと共に情報機器における文字等の入力を通じた情報保存及び通信の重要性も日々に高まっている。
【０００３】
しかしながら、現在、用いられている情報機器における各種の文字や命令語等の入力装置は、上述した情報環境の変化に適宜対応するのには、依然として多くの問題を抱えている。
【０００４】
すなわち、文字等の入力において最も重要なものは、入力しようとする情報を迅速かつ正確に入力することであるが、このためには、必要な文字を最小限の操作回数で正確に入力することが最も好ましい。
【０００５】
上記した側面で、最も好ましい入力装置は、入力しようとする各文字毎に別途の入力キーが設定されるものであるが、これは、実際的にハングル音素２４個、英語音素２６個、数字１０個、及び各種の記号を含めて１００個以上の入力キーが必要であることから、効率的ではないという問題点があった。
【０００６】
特に、移動体通信端末またはＰＤＡのような小型の情報機器では、空間上の制約により、入力キーの数字を増やすことが極めて制限的である。すなわち、４×３配列の１２個の入力キーが設けられる一般の移動体通信端末の場合、ハングル２４音素または英語２６音素を１２個の入力キーに全て配列することから、１つの入力キーに２つまたは３つずつの文字が重複して割り当てられるようになる。
【０００７】
したがって、このような従来のデータ入力装置では、使用者が所望の文字を選択するためには、２〜３回ずつ繰り返して入力キーを操作しなければならないので、入力時間が長く、複雑な入力過程でタイピングミス及び誤作動が生じる可能性が高く、入力正確度が低下するという問題点があった。
【０００８】
一方、上述した問題点を克服するために、タッチスクリーンにハングル文字の字母音を配列し、初期タッチにより字音を入力した後、タッチスクリーン上でドラッグし、母音を入力する電子機器のハングル入力装置が提案されている。
【０００９】
この場合、タッチスクリーン上に母音配列を省略することにより、画面を単純化することができるという長所があるものの、ドラッグによって母音が入力されるので、入力者によりドラッグ経路が一定せず、認識率が低下し、入力正確性が低く、ドラッグによる入力経路が相対的に長くて複雑し、入力時間が増加するという問題点があった。
【００１０】
また、タッチスクリーン上に字音及び母音を全て配列する場合は、限定された配列空間に必要な音素を全て配列することから、各音素に割り当てられた空間が小さ過ぎ、指では速い入力をしながらも、他のキーと干渉することなく、所望のキーのみを１つずつ正確にタッチすることが不可能であった。したがって、スタイラスペン等の入力道具を別途に備えなければならないが、スタイラスペンによっても速い文字入力ができないという問題点があった。
【００１１】
特に、上述したタッチスクリーンを用いた文字入力の場合、タッチスクリーンが一般に採用されていない携帯電話、コンピューター等では用いることができず、このため、タッチスクリーン及び文字認識モジュールの設置による別途費用が増加するという問題点があった。
【発明の概要】
【発明が解決しようとする課題】
【００１２】
したがって、本発明の目的は、入力キーに重複して割り当てられた文字を、１つの入力キーで独立的に行われる１段入力及び１段入力を通じて、最小限の入力キーの操作で所望の文字を入力することにより、入力時間の短縮及び入力正確性を向上させることができるデータ入力装置を提供することにある。
【００１３】
また、本発明の他の目的は、各字音と母音を１動作１音素の入力が可能に、最小個数の入力キーに配置し（またはタッチスクリーンやタッチパッドで具現する場合、タッチと共に押圧も感知可能にし、同一の位置で２文字をそれぞれ入力可能にする）、携帯端末に用いられるキーパッドのような通常の入力キーはもとより、キーパッドイメージが設けられたタッチスクリーン等でも、別途の道具無しに指を用いて容易に文字入力を行うことができるデータ入力装置を提供することにある。
【００１４】
また、本発明の他の目的は、連続した動作によって、最短経路を介して字音と母音または字音、母音、字音を連続して入力することができ、入力時間を最小化すると共に、便利かつ安定し、正確な入力が可能なデータ入力装置を提供することにある。
また、本発明の他の目的は、近接した入力キーが一緒に入力される「干渉」を用いて、狭小な面積でも正確なデータの入力が可能なデータ入力装置を提供することにある。
【００１５】
また、本発明のさらに他の目的は、繰返し入力が必要でなく、スキム入力が可能であり、一回の連結動作でデータを速く入力するとこができ、入力のための移動範囲が狭くて、使用者の不注意による入力の誤作動を防止し、データを正確に入力することができるデータ入力装置を提供することにある。
【課題を解決するための手段】
【００１６】
上記の課題を解決するために、本発明によるデータ入力装置は、第１文字を入力するための１段入力及び第２文字を入力するための２段入力がそれぞれ独立的に遂行可能に設けられた複数の入力キーと、前記各入力キーへの１段入力及び２段入力を感知する感知部と、前記感知部の感知結果に基づき、該当入力キーに重複して割り当てられた第１文字または第２文字をメモリ部から抽出して入力する制御部と、を備える。
【００１７】
前記１段入力は、前記各入力キーへの接触または近接によるタッチ入力で行われ、前記２段入力は、前記各入力キーが上下に移動する押圧入力で行われ、前記感知部は、前記タッチ入力を感知するタッチ感知部と、前記押圧入力を感知する押圧感知部とを有する。
【００１８】
前記１段入力及び２段入力は、前記入力キーの上下移動距離または押圧圧力の強さにより区分される押圧入力で行われ、前記感知部は、前記入力キーの移動により切り替えられる押圧スイッチまたは前記入力キーへの加圧力を感知する圧力センサのいずれか一つであってもよい。
【００１９】
前記押圧入力は、前記入力キーの上下移動距離または押圧圧力の強さにより、２段以上の多段入力が可能になってもよい。
【００２０】
前記２段の押圧入力にはクリック手段が設けられ、１段の押圧入力と区分され得る。
入力キーの数は、移動体通信端末で用いられる４×３配列方式に１つのキーをさらに追加し、合計１３個であってもよい。
【００２１】
前記複数の入力キーは、２以上の行と列からなる長方形の配列形態を有してもよい。
【００２２】
前記各入力キーには、所定の字音文字及び母音文字が同時に割り当てられ、前記各入力キーと組合せ入力により、前記母音文字に転換して入力するための転換入力部をさらに有し、前記転換入力部は、前記入力キーの配列の内部または外部のいずれか一つ以上に設けられてもよい。
【００２３】
前記複数の入力キーは、所定の半径を有する円の円周上に配置されてもよい。
【００２４】
前記各入力キーは、全体的にリング状を有し、一体型であってもよい。
【００２５】
前記各入力キーは、入力領域の両側に２揃いで設けられてもよい。
【００２６】
前記タッチ入力は、２以上の入力キーが順次接触されて行われるスキム入力が可能であってもよい。
【００２７】
前記複数の入力キーには、ハングル文字、英語文字が各入力キーに１つまたは２つ以上重複して配置されるが、文字入力の際によく用いられる連字音または連母音は、隣接した前記入力キーに連続して配置されてもよい。
【００２８】
前記複数の入力キーは、字音文字が割り当てられた字音入力キーセットと、母音文字が入力された母音入力キーセットに分割され、前記字音入力キーセット及び母音入力キーセットは、前記スキム入力が行われる場合、字音、母音または字音、母音、字音の順で、前記各入力キーが順次タッチされるように配置されてもよい。
【００２９】
前記複数の入力キーは、字音文字が割り当てられた字音入力キーセットと、母音文字が入力された母音入力キーセットに分割され、前記字音入力キーセット及び母音入力キーセットは、前記スキム入力が行われる場合、字音、字音、母音または母音、字音、字音の順で、前記各入力キーが順次タッチされるように配置されてもよい。
【００３０】
前記入力キーは、第１入力キーと、前記第１入力キーの内側または外側に隣接して設けられる第２入力キーとを有し、前記制御部は、前記第１入力キーと第２入力キーを所定の時間内に同時に選択する組合せ入力が行われる場合、該当入力キーに元々割り当てられた文字とは異なる第３文字をメモリ部から抽出して入力することができる。
【００３１】
前記各第１入力キー及び第２入力キーの組合せ入力によっては、母音文字が入力され得る。
【００３２】
前記感知部は、前記各第１入力キー及び第２入力キー毎に複数個設けられてもよい。
【００３３】
前記制御部は、前記感知部を通じて感知された前記第１入力キーと第２入力キーの感知信号のうち、所定の時間以上維持される信号のみを有効な信号と判断して入力を行うことができる。
【００３４】
前記第１入力キー、第２入力キー、及び感知部は、前記入力領域に２揃いで設けられてもよい。
【００３５】
本発明によるデータ入力装置は、前記複数の入力キーに隣接して設けられる転換入力部をさらに備え、前記制御部が、前記入力キー及び転換入力部が順次選択される順次入力により、第４文字をメモリ部から抽出して入力することができる。
【００３６】
前記各入力キーの単独入力によっては、第１文字または第２文字が入力され、前記入力キー、転換入力部の順序による順次入力によっては第４文字が入力されるが、
反対の順序による順次入力によっては入力されないようにすることができる。
【００３７】
前記各入力キーの単独入力によっては、第１文字または第２文字が入力され、前記転換入力部、入力キーの順序による順次入力によっては第４文字が入力されるが、反対の順序による順次入力によっては入力されないようにすることができる。
【００３８】
前記複数の入力キーは、円形で配置され、前記制御部は、円周方向に沿って複数の入力キーが順次選択される円周入力が行われる場合、最後に選択された入力キーに割り当てられた文字のみを有効に抽出して入力することができる。
【００３９】
前記複数の入力キーは、円形で配置され、本発明によるデータ入力装置は、前記各入力キーの半径方向へのスキムを感知する第２タッチ感知部をさらに備え、前記タッチ入力または押圧入力によっては第１文字または第２文字が入力され、前記入力キーへの半径方向のタッチによっては第４文字が入力され得る。
【００４０】
前記各入力キーには、割り当てられた第４文字を入力するための前記順次入力の方向が表示され得る。
【００４１】
前記複数の入力キー、転換入力部、及び感知部は、前記入力領域に２揃いで設けられてもよい。
【００４２】
前記複数の入力キーは、円形で配置され、各入力キーには、第５文字が重複して割り当てられてもよい。前記制御部は、イベント入力が感知された場合、前記第５文字をメモリ部から抽出して入力することができる。
【００４３】
前記イベント入力は、前記スキム入力中に、所定の入力キーから指を離してタッチ感知信号が解除され、または、所定の入力キーへのタッチ感知信号が所定の時間以上持続的に発生することによって行われ得る。
【００４４】
前記イベント入力は、前記入力キーの押圧方向の横方向への側面を押しても行われ得る。
【００４５】
前記タッチ感知部は、前記各入力キーへのタッチまたは円周方向へのスキムを感知する第１タッチ感知部と、前記各入力キーへの半径方向へのスキムを感知する第２タッチ感知部とを有し、前記制御部が、前記第１タッチ感知部の感知信号が受信されると前記第１文字を、前記第２タッチ感知部の感知信号が受信されると、これをイベント入力として判断し、前記第５文字をメモリ部から抽出して入力することができる。
【００４６】
前記入力キーは、円形で配置された第１入力キーと、前記第１入力キーの内側または外側に隣接して設けられる第２入力キーとからなってもよい。
【００４７】
前記制御部は、前記第１入力キーと第２入力キーを所定の時間内に同時に選択する組合せ入力が行われる場合、該当入力キーに元々割り当てられた文字とは異なる第３文字をメモリ部から抽出して入力することができる。
【００４８】
前記第２入力キーは、所定の放射方向に移動可能になっており、前記第２入力キーの放射状移動を感知する移動感知部をさらに有し、前記制御部が前記第２入力キーの移動が感知された該当放射方向に割り当てられた第６文字をメモリ部から抽出して入力することができる。
【００４９】
前記タッチ感知部は、前記第２入力キーの前記各放射方向へのタッチ移動を感知可能になっており、前記制御部が、前記第２入力キーに行われたタッチ移動の方向により、該当放射方向に割り当てられた第６文字をメモリ部から抽出して入力することができる。
前記複数の入力キー及び感知部は、前記入力領域に２揃いで設けられてもよい。
【００５０】
上記の課題を解決するために、本発明によるデータ入力装置は、入力領域において所定の半径を有する円に放射状で配置され、タッチにより第１文字を入力するたの１段入力と、押圧により第２文字を入力するための２段入力とがそれぞれ独立的に行われるように設けられる８つの第１入力キーと、前記第１入力キーの内部または外部に設けられる第２入力キーと、前記１段入力または２段入力を感知する第１入力キー感知部と、前記第２入力キーの選択を感知する第２入力キー感知部と、前記第１入力キー感知部の感知結果に基づき、該当第１入力キーに割り当てられた第１文字または第２文字をメモリ部から抽出して入力し、前記第１入力キー感知部及び第２入力キー感知部で所定の時間以内に同時に感知信号が発生する場合、第３文字をメモリから抽出して入力する制御部と、を備える。
【００５１】
前記第３文字は、母音文字であってもよい。
【００５２】
上記の課題を解決するために、本発明によるデータ入力装置は、入力領域において所定の半径を有する円に放射状で配置され、タッチにより第１文字を入力するたの１段入力と、押圧により第２文字を入力するための２段入力とがそれぞれ独立的に行われるように設けられる複数の第１入力キーと、前記第１入力キーの内部または外部に設けられ、タッチまたは押圧のいずれかの方法で第７文字を入力するための１つ以上の第２入力キーと、前記１段入力または２段入力を感知する第１入力キー感知部と、前記第２入力キーの選択を感知する第２入力キー感知部と、前記第１入力キー感知部の感知結果に基づき、該当第１入力キーまたは第２入力キーに割り当てられた第１文字、第２文字、または第７文字をメモリ部から抽出して入力する制御部と、を備える。
【００５３】
前記制御部は、複数の前記第１入力キーまたは第２入力キーを連続して入力するスキム入力が行われる場合、最初の入力信号、所定の時間維持される入力信号、または解除される入力信号のいずれかの方法で、該当入力キーに割り当てられた文字が入力され得る。
【００５４】
上記の課題を解決するために、本発明によるデータ入力装置は、入力領域において所定の半径を有する円に放射状で配置され、タッチにより第１文字を入力するたの１段入力と、押圧により第２文字を入力するための２段入力とがそれぞれ独立的に行われるように設けられる複数の第１入力キーと、前記第１入力キーの内部または外部に設けられる第２の入力キーと、前記１段入力または２段入力を感知する第１入力キー感知部と、前記第２入力キーの選択を感知する第２入力キー感知部と、前記第１入力キー感知部の感知結果に基づき、該当第１入力キーまたは第２入力キーに割り当てられた第１文字、第２文字をメモリ部から抽出して入力し、または、第１入力キー感知部と第２入力キー感知部で所定の時間内に同時に感知される組合せ入力が行われる場合、第３文字を割り当てる制御部と、を備え、前記制御部は、複数の前記第１入力キーを連続して入力するスキム入力が行われる場合、最初の入力信号、所定の時間維持される入力信号、または解除される入力信号のいずれかの方法で、該当入力キーに割り当てられた文字が入力される。
【００５５】
前記第１入力キーは８つであり、前記第２入力キーは、４つの入力位置を有してもよい。
【００５６】
上記の課題を解決するために、本発明によるデータ入力装置は、入力領域において所定の半径を有する円に放射状で配置される８つの第１入力キーと、前記第１の入力キーの内部または外部に設けられる第２入力キーと、前記円の中心に設けられる内部入力キーと、前記第１入力キーの選択を感知する第１入力キー感知部と、前記第２入力キーの選択を感知する第２入力キー感知部と、前記内部入力キーの選択を感知する内部入力キー感知部と、前記各入力キー感知部の感知結果に基づき、該当入力キーに文字をメモリ部から抽出して入力する制御部と、を備え、前記第１入力キー、第２入力キー、または内部入力キーの１つ以上は、多段入力が可能に設けられる。
【図面の簡単な説明】
【００５７】
【図１】本発明の一実施例によるデータ入力装置が装着された携帯用移動体通信端末を示す正面図である。
【図２】本発明の他の実施例によるデータ入力装置が装着された携帯用移動体通信端末を示す正面図である。
【図３】本発明による様々な実施例による入力キーを示す側断面図である。
【図４】本発明による様々な実施例による入力キーを示す側断面図である。
【図５】本発明による感知部の配置を示す平面図である。
【図６】本発明のスキム入力による連音素入力を説明するための概念図である。
【図７】本発明によるスキム入力を説明するための概念図である。
【図８】本発明によるスキム入力を説明するための概念図である。
【図９】本発明によるスキム入力を説明するための概念図である。
【図１０】本発明の他の実施例によるデータ入力装置が装着された携帯用移動体通信端末を示す正面図である。
【図１１】本発明の様々な実施例による入力キーを示す斜視図及び平面図である。
【図１２】本発明の様々な実施例による入力キーを示す斜視図及び平面図である。
【図１３】本発明の様々な実施例による入力キーを示す斜視図及び平面図である。
【図１４】本発明の様々な実施例による感知部を示す平面図である。
【図１５】本発明の様々な実施例による感知部を示す平面図である。
【図１６】本発明による組合せ入力を説明するための概念図である。
【図１７】本発明の様々な実施例による感知部を示す平面図である。
【図１８】本発明の様々な実施例による感知部を示す平面図である。
【図１９】本発明の様々な実施例による感知部を示す平面図である。
【図２０】本発明の様々な実施例による感知部を示す平面図である。
【図２１】本発明の様々な実施例による感知部を示す平面図である。
【図２２】本発明の様々な実施例による感知部を示す平面図である。
【図２３】本発明の様々な実施例による感知部を示す平面図である。
【図２４】本発明による順次入力を説明するための概念図である。
【図２５】本発明による順次入力を説明するための概念図である。
【図２６】本発明の様々な実施例による第１入力キー及び第２入力キーを示す斜視図である。
【図２７】本発明の様々な実施例による第１入力キー及び第２入力キーを示す斜視図である。
【図２８】本発明の様々な実施例による第１入力キー及び第２入力キーを示す斜視図である。
【図２９】本発明の様々な実施例による第１入力キー及び第２入力キーを示す斜視図である。
【図３０】本発明の様々な実施例による第１入力キー及び第２入力キーを示す斜視図である。
【図３１】本発明によるイベント入力を説明するための概念図である。
【図３２】本発明によるデータ入力装置が２揃いで装着された携帯用移動体通信端末を示す斜視図である。
【図３３】本発明の様々な実施例による入力例を説明するための概念図である。
【図３４】本発明の様々な実施例による入力例を説明するための概念図である。
【発明を実施するための形態】
【００５８】
以下、本発明の好適な実施例について、添付図面を参照して詳細に説明する。
【００５９】
＜実施例１＞
本発明の実施例１によるデータ入力装置は、第１文字を入力するための１段入力及び第２文字を入力するための２段入力がそれぞれ独立的に遂行可能に設けられた複数の入力キー１０と、前記各入力キー１０への１段入力及び２段入力を感知する感知部２０と、前記感知部２０の感知結果に基づき、該当入力キー１０に重複して割り当てられた第１文字または第２文字をメモリ部から抽出して入力する制御部と、を備える。
図１を参照すると、携帯用移動体端末１００は、所定の入力領域Ｐと表示部１３０が設置されたケース１１０を有する。
【００６０】
複数の入力キー１０は、ケース１１０に設けられた入力領域Ｐ内に配置され、ケース１１０の一側には、入力キー１０により入力された文字等が表示される表示部１３０が設けられている。
【００６１】
ここで、入力領域Ｐは、図１に示すように、ケース１１０に設けられてもよいが、表示部１３０に設けられてもよい。
【００６２】
すなわち、本発明による入力方式は、タッチスクリーンやタッチパッド上で具現されてもよい。この場合、タッチ入力は、タッチパッドやタッチスクリーンで行われ、タッチパッドやタッチスクリーンの下部に押圧感知部をさらに設けることにより、押圧入力が行われるようにすることができる。上述した構成は、以下、全ての実施例に共通して適用され得るのは言うまでもない。
【００６３】
入力キー１０は、様々な形状で設けられてもよく、例えば、図３及び図４に示すように、略円筒、多角筒、または直方体状等に形成され、ケース１１０に設けられた貫通部１４から、入力キー１０の一領域が外部に露出するようになっている。
【００６４】
入力キー１０は、図３に示すように、ケース１１０と別途に設けられ、相対移動可能になっていてもよいが、入力キー１０の全体が一体で設けられ、各入力キー１０に対応する領域において、押圧による変形が可能になっていてもよい。
【００６５】
入力キー１０は、第１文字を入力するための１段入力及び第２文字を入力するための２段入力がそれぞれ独立的に行われるようになっている。
【００６６】
ここで、図３及び図４に示した構成は、タッチ入力または押圧入力を具現するための一例に過ぎないことを明らかにしておく。
【００６７】
ここで、前記１段入力及び２段入力は多様であって、例えば、前記１段入力は、各入力キー１０への接触または近接によるタッチ入力であり、前記２段入力は、各入力キー１０が上下に移動する押圧入力であってもよい。
【００６８】
または、前記１段入力及び２段入力は、入力キー１０の上下移動距離または押圧圧力の強さにより区分される押圧入力であってもよい。
【００６９】
一方、図３４に示すように、円形で配置され、それぞれ第１文字を入力するための１段入力と、押圧による第２文字を入力するための２段入力とが、それぞれ独立的に行われる複数の第１入力キー１１と、第１入力キー１１の内部または外部に設けられ、タッチまたは押圧のいずれかの方法で第７文字を入力するための第２入力キー１２をさらに備えてもよい。
【００７０】
以下、図３及び図４を用いて、タッチ入力と押圧入力についてそれぞれ説明する。
図３及び図４には、タッチ入力を１段入力とし、押圧入力を２段入力とする入力キー１０の様々な実施例が示されている。
【００７１】
タッチ入力とは、各入力キー１０への接触または近接を感知し、入力キー１０に割り当てられた第１文字を入力することをいう。タッチ入力は、タッチ感知部３０で感知されるが、タッチ感知部３０は、各入力キー１０に対応して設けられ、人の指が入力キー１０に接触し、または入力キー１０に所定の間隔以内に接近したとき、これを感知する。
【００７２】
タッチ感知部３０の種類は多様であり、例えば、光センサ、超音波センサのような非接触センサであってもよく、静電容量センサ３１等のような接触／非接触センサであってもよい。
【００７３】
静電容量センサ３１は、図３Ａに示すように、入力キー１０に接触された導電性接触部材３２と、接触部材３２の静電容量を測定する計測素子３３とを有する。
【００７４】
接触部材３２は、入力キー１０に使用者の指が接触または近接すると、静電容量の変化が発生するが、計測素子３３では、接触部材３２で発生した静電容量の変化を測定して制御部に伝送し、制御部では、静電容量の変化が所定の大きさ以上である場合は、有効信号と判断してタッチ入力を行う。
【００７５】
または、指で接触しまたは押圧するときは、静電容量の大きさが変わるので、これを用いて多段入力を行ってもよい。
【００７６】
ここで、接触部材３２が直接入力キー１０の上部面に露出しない場合は、接触部材３２と入力キー１０の上端部を電気的に連結する接触体３４をさらに有してもよい。ここで、図３Ｂは、図３Ａの結合断面図である。
【００７７】
図４Ａは、接触部材３２が入力キー１０の上端に設けられ、計測素子３３がＰＣＢ基板１４０に設けられる場合を示す。
【００７８】
この場合、接触部材３２と計測素子３３との間には、接触部材３２で発生した静電容量を計測素子３３に伝達する連結線３５がさらに設けられてもよい。
【００７９】
入力キー１０が伝導性材質を含む場合は、図４Ｂに示すように、入力キー１０とＰＣＢ基板１４０との間に設けられ、接触部材３２で発生した静電容量を計測素子３３に伝達する伝導性弾性部材３６をさらに有してもよい。
【００８０】
ここで、伝導性弾性部材３６は、入力キー１０とＰＣＢ基板１４０を電気的に連結することはもとより、押圧入力を行うとき、入力キー１０を初期位置に復元させるリターン部材の機能を同時に行う。
【００８１】
タッチ感知部３０は、入力領域Ｐ上に様々な方法で配置され得るが、例えば、各入力キー１０に対応して１つずつ設けられてもよく、図５Ａに示すように、入力領域Ｐの全体にわたって複数個が配置されてもよく、図５Ｂに示すように、入力領域上にＸ軸とＹ軸の格子状で配置されてもよい。
【００８２】
または、タッチ感知部３０は、各入力キー１０に２つ以上設けられてもよい。
押圧入力は、各入力キー１０の上下移動を感知し、入力キー１０に割り当てられた第１文字または第２文字を入力することをいう。
【００８３】
このため、各入力キー１０に対応して設けられ、押圧による入力キー１０の上下移動を感知する押圧感知部４０が設けられる。
【００８４】
押圧感知部４０は、入力キー１０の全体の移動を感知することもでき、一部の移動を感知することもできる。後者の場合、例えば、入力キー１０の中央に弾性素材を設け、前記弾性素材の下部に、前記入力キーの押圧時、圧力を感知する圧力センサを設けてもよい。
【００８５】
押圧感知部４０の種類は多様であり、例えば、押圧による入力キー１０の上下移動により切り替えられる押圧スイッチ、または入力キー１０に加えられた圧力を感知する圧力センサ等であってもよい。
【００８６】
押圧感知部４０が押圧スイッチまたは押圧接触センサ等である場合は、図４Ｂに示すように、押圧入力が行われた入力キー１０を初期位置に復帰させるリターン部材をさらに有してもよい。
【００８７】
一方、入力キー１０と押圧感知部４０との間に設けられ、入力キー１０の移動に応じて、前記押圧感知部４０に接触または離隔する押圧板４１をさらに有してもよい。
【００８８】
一方、押圧入力は、入力キー１０の上下移動距離または押圧圧力の強さにより、２段以上の多段入力が可能になっていてもよい。
【００８９】
すなわち、押圧距離により押圧多段入力を行う場合は、入力キー１０の移動経路上に２つ以上の押圧感知部４０を順次離隔させ、入力キー１０の移動程度を感知するようになる。
【００９０】
したがって、押圧入力が２段である場合は、１つの入力キー１０で、１段のタッチ入力、１段の押圧入力、及び２段の押圧入力の合計３つの文字を１回の動作で入力することができるので、入力キー１０の入力容量が３倍と増えるようになる。
【００９１】
同様に、押圧入力のみで構成される場合も、１段の押圧入力、２段の押圧入力、及び３段の押圧入力で、同一の効果を期待することができる。
【００９２】
ここで、押圧入力が２段以上の多段入力である場合は、多段の押圧入力のいずれか１つにクリック感を与えるクリック手段を設け、使用者が多段か否かを把握可能にすることが好ましい。
【００９３】
一方、前記多段入力は、入力キー１０が、第１入力キー１１、第２入力キー１２、または第３入力キー１３に分割されている場合も適用され、入力キー１０以外も、転換入力部５５、内部入力部等にも例外なく適用され得る。
【００９４】
一方、制御部は、同一の入力キー１０で行われるタッチ入力と押圧入力を選択的に判断して入力してもよく、全ての信号に対して入力を行ってもよい。
【００９５】
特に、本発明によるデータ入力装置の場合は、押圧入力を行うとき、必ずタッチ入力が行われる構造でるため、制御部は、複数の感知信号が受信されるとき、使用者の意図通りに入力されるように各信号を選択することができなければならない。
【００９６】
例えば、上述したように、所定の入力キー１０で押圧入力のみを行おうとする場合は、制御部は、１つの入力キー１０に対応するタッチ感知部３０及び押圧感知部４０でタッチ及び押圧が同時に感知されても、前記感知間隔が所定の時間間隔以内であれば、押圧感知部４０で感知された結果に基づき、入力命令をメモリ部から抽出して実行してもよい。
【００９７】
上述した場合において、反対にタッチ入力のみを有効であると判断することもできるのは言うまでもない。
【００９８】
以外にも、制御部は、様々な方法でタッチ及び押圧入力による入力命令を抽出して実行してもよい。
【００９９】
例えば、タッチ入力後、所定の遅延時間（接触維持時間）を置いてタッチ入力を解除する場合、制御部は、前記入力キー１０に、タッチ入力に割り当てられた文字と、押圧入力に割り当てられた文字とを全てメモリ部から抽出して実行させてもよい。
【０１００】
または、ハングル字音を入力するとき、タッチ入力または押圧入力が所定の入力時間内に連続して２回感知される場合は、双字音が入力されるようにしてもよく、所定の遅延時間以上感知が継続する場合、双字音が入力されるようにしてもよい。
入力キー１０は、様々な形態で配置され得る。
【０１０１】
入力キー１０は、例えば、図１に示すように、２以上の行と列からなる長方形の配列形態を有してもよい。
【０１０２】
この場合、入力キー１０は、携帯用移動体通信端末１００において一般に用いられる４×３行列の１２個に配列されてもよく、図１９に示すように、４×２行列の８個に配列されてもよい。
【０１０３】
前者の場合は、図７Ｂに示すように、１つのキーを追加して合計１３個であってもよい。
入力キー１０が１３個以上設けられる場合は、英文字２６個が各入力キー１０に２つずつそれぞれ重複して配置され、一方は、タッチ入力（または１段の押圧入力）によって、他方は、押圧入力（または２段の押圧入力）によって入力が行われる。
【０１０４】
2009545830.tif 000003
【０１０５】
または、図７Ｂに示すように、各入力キー１０との組合せによって、前記母音文字に転換して入力する転換入力部５５がさらに設けられてもよい。
【０１０６】
2009545830.tif 000004
【０１０７】
転換入力部５５は、様々な位置に設けられてもよいが、例えば、図７Ｂに示すように、入力キー１０の配列外部に設けられてもよく、図１９Ａに示すように、入力キー１０の配列内部に設けられてもよい。
【０１０８】
一方、入力キー１０は、図２及び図９に示すように、所定の半径を有する円の円周上に放射状で配置されてもよい。
【０１０９】
この場合、入力キー１０は、それぞれ単独で選択可能に分離されていてもよく、または互いに連結されて一体となっていてもよい。
【０１１０】
各入力キー１０が分離されている場合は、各入力キー１０は、４放射方向にそれぞれ設けられてもよく、８放射方向にそれぞれ設けられてもよい。
【０１１１】
または、入力キー１０は、５、６、７放射方向にそれぞれ設けられてもよい。
【０１１２】
または、入力キー１０が同心円上に配置される第１入力キー１１または第２入力キー１２の２列で設けられる場合は、第１入力キー１１または第２入力キー１２は、全て同一の個数であってもよく、異なる個数であってもよい。例えば、第１入力キー１１または第２入力キー１２のいずれか一方は４つ、他方は８つであってもよい。
【０１１３】
または、入力キー１０が、一体または分離型のリング状である場合は、入力キー１０の全体が回転することができる。これにより、スクロール、モード変更、各種の機能命令等を行うことができる。
【０１１４】
また、入力キー１０は、図２に示すように、２列以上の同心円上に分割して配置されてもよく、１つの円に全て配置されてもよい。入力キー１０が円形で配置される場合も、図９Ｃに示すように、転換入力部５５が設けられ得ることは言うまでもない。
【０１１５】
一方、入力キー１０は、入力領域Ｐの両側に２揃いで設けられてもよい。後述する全ての実施例によるデータ入力装置も、図３２に示すように、２揃いで設けられてもよい。
【０１１６】
本明細書で用いられる「スキム入力」とは、複数の入力キー１０を連続してタッチまたは押圧して入力することを意味する。
【０１１７】
例えば、ハングルの場合、初声、中声、終声に該当する文字を相互独立した入力動作（すなわち、従来の移動体通信端末やコンピュータキーボード上で個別に押圧する動作）によって行われるものではなく、入力キー１０上で与えられた経路に沿って各入力キー１０をスキムしながら（または押して）入力することをいう。
【０１１８】
一方、制御部は、３つ以上の入力キー１０において、タッチまたは押圧の１つ以上が順次に行われるスキム入力が行われる場合、前記複数の入力信号のうち有効な一部信号を選択するようになってもよい。
【０１１９】
例えば、最初入力及び最終入力に対する感知結果に基づき、これに対応する入力命令をメモリから抽出して行うことができる。
【０１２０】
または、所定の遅延時間（感知維持時間）や変位量が感知される場合にのみ有効信号と判断し、または多重入力信号が発生する過程で、スキム入力が直線方向ではない方向に折れる場合、その曲げ地点で発生した入力信号のみを有効に処理する場合、各端子を伝導性物質で全て連結し、信号が発生する地点と信号が切れる地点のデータ値を入力する方法等が挙げられる。
【０１２１】
ここで、前記スキム入力は、２以上の入力キー２０において、タッチ入力のみで、タッチ入力と押圧入力が混合され、または押圧入力のみで入力が行われる場合を、全て含む。
【０１２２】
各入力キー１０には、第１文字及び第２文字が重複して割り当てられるが、第１文字とは、タッチ入力（または、押圧入力のみで構成される場合は、１段の押圧入力）によって入力されるように割り当てられた文字をいい、第２文字とは、押圧入力（または、２段の押圧入力）によって入力されるように割り当てられた文字をいう。
【０１２３】
ここで、第１文字または第２文字には、特に制限がなく、例えば、ハングルまたは英文等、他種の言語文字であってもよく、同一の言語文字内で字音または母音に分類されてもよい。
【０１２４】
例えば、アルファベットの場合、母音は「Ａ、Ｅ、Ｉ、Ｏ、Ｕ、Ｗ、Ｘ、Ｙ」であってもよい。
【０１２５】
ここで、入力キー１０に割り当てられる文字は、上述したハングル、英文以外にも、数字、記号等、多様な文字が割り当てられることは言うまでもない。
【０１２６】
一方、入力キー１０には、ハングル文字、英語文字が、各入力キー１０に１または２以上重複して配置されるが、スキム入力が可能な場合は、よく用いられる連字音または連母音は、隣接した入力キー１０に連続して配置することが好ましい。
【０１２７】
ここで、連字音または連母音を含めた連音素とは、よく用いられる単語が付いて配列されることをいい、ハングルの場合、合用並書、アルファベットの場合、「ｃｈ」、「ｎｇ」等のように、単語において２音素が付いて用いられることを意味する。
【０１２８】
2009545830.tif 000005
【０１２９】
2009545830.tif 000006
【０１３０】
上記において、「ｇｈｔ」、「ｉｏｎ」等の場合は、３つの文字は、隣接した入力キー１０に連続して割り当てられ、３つの入力キー１０を全てスキムして１回のスキム入力で３つの音素を全て入力するようになる。
【０１３１】
この場合、前記スキム入力により、順次発生する３つ以上の入力信号は、制御部で全て有効に判断されて入力される。
【０１３２】
図６は、上述した入力キー１０の連音素の文字配列及び入力例を具体的に示す他の実施例である。
【０１３３】
図６において、相対的に細い矢印は、タッチ入力のみで文字を入力するスキム入力例であり、相対的に太い矢印は、タッチ入力と押圧入力が混合された形態を示すものである。
【０１３４】
2009545830.tif 000007
【０１３５】
または、複数の入力キー１０は、字音文字が割り当てられた字音入力キーセットＣと、母音文字が割り当てられた母音入力キーセットＶに分けて配置してもよい。
【０１３６】
本明細書で用いられる「字音入力キーセットＣ」及び「母音入力キーセットＶ」は、それぞれ字音文字または母音文字が割り当てられた複数の入力キー１０の集合を意味する。
【０１３７】
同一の入力キーセットは、割り当てられた文字及び配列において同一性を有する。しかしながら、前記各入力キーセットは、ハングル文字、英語文字、日本語文字等を入力するとき、割り当てられた文字の性格により、便宜上分類したものであるだけで、記号や数字等を配置しまたは入力するときも、別の意味を有するものではない。
【０１３８】
一方、入力キー１０が字音入力キーセットＣと母音入力キーセットＶに分けられる場合、字音入力キーセットＣ及び母音入力キーセットＶは、前記スキム入力が行われる場合、字音、母音、または字音、母音、字音の順序で各入力キー１０が順次タッチされるように配置されてもよい。
【０１３９】
または、字音入力キーセットＣ及び母音入力キーセットＶは、スキム入力の際に、字音、字音、母音、または母音、字音、字音の順序で各入力キー１０が順次タッチされるように配置されてもよい。
【０１４０】
以下、図７〜図９を参照して、本発明によるデータ入力装置の具体的な入力例について説明する。
【０１４１】
先ず、図７Ａを参照すると、４×３配列の入力キー１０において、字音入力キーセットＣは、１列の第１字音入力キーセットＣ１と３列の第２字音入力キーセットＣ２に分割されており、母音入力キーセットＶは、第２列に配置されている。
【０１４２】
前記字音入力キーセットＣ及び母音入力キーセットＶに含まれた各入力キー１０には、２つの文字が重複して割り当てられており、各入力キー１０の上部に位置した文字はタッチ入力によって、下部に位置した文字（黒部分）は押圧入力によって入力される。
【０１４３】
2009545830.tif 000008
【０１４４】
2009545830.tif 000009
【０１４５】
すなわち、本発明によるデータ入力装置は、各入力キー１０を母音入力キーセットＶと字音入力キーセットＣに分け、母音入力キーセットＶを字音入力キーセットＣ間に配置することにより、文字入力の際に、連続した動作を通じて字音と母音からなる文字を効率的に入力することができるようになる。
【０１４６】
2009545830.tif 000010
【０１４７】
2009545830.tif 000011
【０１４８】
すなわち、本発明によるデータ入力装置は、母音入力キーセットＶと字音入力キーセットＣの効率的な配列はもとより、各入力キーセットＶ、Ｃ内でも、連字音及び連母音を相互隣接して配置することにより、文字入力の際に効率性を向上させることができる。
【０１４９】
一方、図７Ａにおいて、スキム入力を行うとき、場合に応じて、第３経路(3)または第４経路(4)のように、同一の入力キーセットＣ、Ｖ内において２以上のタッチまたは押圧が連続して行われてもよい。
【０１５０】
この場合、制御部は、前記各感知結果の一部についてのみ有効に判断し、メモリ部から抽出して入力することができる。
【０１５１】
2009545830.tif 000012
【０１５２】
2009545830.tif 000013
【０１５３】
2009545830.tif 000014
【０１５４】
ここで、最終感知信号を判断する方法は、例えば、多数の感知信号が連続して発生する場合、ある一時点でも信号発生が切れる場合、これを最終感知信号と判断し、または、２以上のスキム入力がそれぞれ所定の時間間隔内に連続して感知されるうちに、所定の感知信号から前記所定の時間以上、次の感知信号が発生しない場合、これを最終感知信号と判断することができる。
【０１５５】
2009545830.tif 000015
【０１５６】
2009545830.tif 000016
【０１５７】
通常、所定の入力時間以上感知信号が維持される場合は、入力を開始するとき（指が最初に触れた位置）、入力が終了されるとき（指を離す位置）、または入力状態を維持するとき（指が入力時間以上止まる位置）である。
【０１５８】
したがって、使用者が、別の学習や熟達無しに、自然に入力しようとする文字を連続して指示する動作を通じても、所望の文字のみを容易に入力できるようになる。
【０１５９】
ここで、前記入力時間の差は、極めて微妙であるが、時間設定を通じてこの差を区分し、入力有効と無効を区分することができ、市中の多くの電子製品やタッチパッドのスクロール機能等でも、上述した入力時間の設定を通じた入力処理（いわば、遅延時間の設定）は用いられている。
【０１６０】
一方、タッチ感知部３０が静電容量センサとして設けられる場合は、接触の程度（面積や強さ）による静電容量の変化量が設定値以上であるときのみ、有効に判断することもできる。
【０１６１】
一方、双字音の入力については、該当字音が割り当てられた入力キー１０上において、タッチ入力または押圧入力が、所定の入力時間内に連続して２回行われ、または、所定の遅延時間以上行われ、または、別途の機能キー（図示せず）を押したままでタッチまたは押圧入力が行われることにより、入力され得る。
【０１６２】
図７Ｂを参照すると、図７Ａと同様に、４×３配列の入力キー１０において、字音入力キーセットＣは、１列の第１字音入力キーセットＣ１と３列の第２字音入力キーセットＣ２に分割され、母音入力キーセットＶは、第２列に配置されており、前記第１列の左側及び前記第３列の右側には、前記各入力キー１０から所定の間隔離隔した転換入力部５５が設けられる。
【０１６３】
転換入力部５５は、字音入力キーセットＣに含まれた入力キー１０と同時に選択される場合、入力キー１０に割り当てられた信号とは異なる入力信号が入力されるようにする。
【０１６４】
2009545830.tif 000017
【０１６５】
ここで、母音入力キーセットＶの場合は、上述した実施例と同様に、タッチ入力によっては上側に配置された文字を、押圧入力によっては下側に配置された文字（黒部分）を入力する。
【０１６６】
2009545830.tif 000018
【０１６７】
ここで、母音入力キーセットＶ内の複数の感知信号については、上述したように、最初信号のみを有効なものと判断した例を適用したものとする。
【０１６８】
第２経路(2)は、英文「ＧＥＴ」の入力を説明するためのものである。同様に、「Ｇ」の入力時は、転換入力部５５と同時に入力キー１０をタッチしなければならないが、「Ｔ」の入力時は、入力キー１０のみを単独でタッチしなければならない。
【０１６９】
2009545830.tif 000019
【０１７０】
2009545830.tif 000020
【０１７１】
ここで、転換入力部５５の種類は多様であり、例えば、導電性端子で構成されたタッチ方式であってもよく、環状の押圧ボタンであってもよい。
【０１７２】
一方、転換入力部５５は、文字入力モードではない他のモードでは、字音転換ではない他の機能を行うようになっている。例えば、転換入力部５５に沿ってタッチ状態を維持したまま左右に移動して、音量調節またはスクロールバー機能を行ってもよい。
【０１７３】
一方、図８Ａに示すように、タッチ感知部３０は、入力領域Ｐの全体または各入力キー１０に多数個配置され、スキム入力を行うとき、各入力キー１０に配置された多数のタッチ感知部３０のうち、設定された個数以上でタッチが感知される場合にのみ、制御部で入力キー１０の選択が有効なものと判断することができる。
【０１７４】
本発明によるデータ入力装置１は、スキム入力を行うとき、入力すべき２以上の入力キー１０を最短経路に沿ってスキムしながら移動する場合、意図しなかった入力キー１０がタッチされる場合が生じ得る。
【０１７５】
2009545830.tif 000021
【０１７６】
2009545830.tif 000022
【０１７７】
2009545830.tif 000023
【０１７８】
したがって、図８Ａに示すように、タッチ感知部３０を入力領域Ｐの全体または入力キー１０上に多数個配置（点線円）し、二重タッチが感知されたタッチ感知部２１（黒くなった点線円）の個数が設定された個数、例えば、１０個以上である場合にのみ、感知結果を有効に判断する。
【０１７９】
そのため、スキム入力時、入力キー１０間の干渉を防止し、使用者が意図した文字が正確に入力されるようにすることができる。これは、狭い入力領域Ｐに多数の入力キー１０を密に配置する場合、２以上の入力キー１０が同時に選択される干渉が生じても、使用者が意図した通りの正確な入力を行うためのものである。
【０１８０】
または、２以上の入力キー１０で同時に感知されても、ある入力キー１０にさらに近いか（または、ある入力キー１０にさらに多く接触されたか）を自動的に判断するためのものである。これは、感知部２０が複数個であるので、ある入力キー１０に対応する感知部２０がより多く感知されたか、または接触面積の正中央位置がある入力キー１０に含まれたか等で判断され得る。
前記複数個の感知部２０を用いた干渉防止は、本明細書で用いられる全ての入力キー１０、例えば、第１入力キー１１、第２入力キー１２、第３入力キー１３、転換入力部５５、内  
【０１８１】
部入力キー１５等の干渉防止に例外なく適用され、感知部２０の種類にも制限がない。
【０１８２】
または、２つ以上のタッチ感知部３０は、各入力キー１０に相互所定の間隔離隔して設けられ、制御部は、２つ以上のタッチ感知部３０で全てタッチを感知する場合にのみ、入力キー１０の選択が有効なものと判断することもできる。すなわち、図８Ｂを参照すると、２つのタッチ感知部３０は、例えば、各入力キー１０上に上下または左右に所定の間隔で離隔して設けられる。
【０１８３】
2009545830.tif 000024
【０１８４】
一方、図９に示した本発明によるデータ入力装置１は、字音入力キーセットＣと母音入力キーセットＶが異なる直径を有する２つの同心円上に円形で配置されたものである。
ここで、各入力キーセットＣ、Ｖ内に含まれた入力キー１０は、それぞれ相互均一な間隔をなして配置されてもよい。
【０１８５】
一方、母音入力キーセットＶは内部列に、字音入力キーセットＣは外部列に配置されてもよい。それとは反対に、母音入力キーセットＶは外部列に、字音入力キーセットＣは内部列に配置されてもよい。
【０１８６】
字音入力キーセットＣが外部に配置される場合、字音入力キーセットＣに含まれた各入力キー１０が、タッチ入力及び押圧入力が別々に行われるようになった場合は、図９Ａ及び図９Ｂに示すように、字音入力キーセットＣが８つであってもよく、タッチ入力のみが行われるようになった場合は、図９Ｃに示すように、字音入力キーセットＣの外部に、転換入力部４０がさらに設けられてもよい。
【０１８７】
一方、母音入力キーセットＶが、タッチ入力のみが行われるようになった場合は、図９Ａに示すように、８つであってもよく、タッチ入力と押圧入力が別々に行われるようになった場合は、図９Ｂ及び図９Ｃに示すように、母音入力キーセットＶは４つであってもよい。
【０１８８】
ここで、母音入力キーセットＶが一体型である場合は、母音入力キーセットＶは、文字入力モードがその他のモードでは他の機能を果たすようになってもよい。例えば、マウス機能のような方向指示機能、モード選択機能、確認／取消し等の機能や、音量調節またはスクロールバー機能を行ってもよい。
【０１８９】
一方、図９Ａ〜図９Ｃに示すように、母音入力キーセットＶの内部に、タッチ入力または押圧入力のいずれか１つ以上が可能である内部入力キー１５がさらに設けられてもよい。
【０１９０】
内部入力キー１５には、字音または母音の文字が配置されてもよく、文字転換、入力モード転換、確認／取消し等の命令語が割り当てられてもよく、通話モード時は、通話／終了等の機能が割り当てられてもよい。
【０１９１】
一方、内部入力キー１５の押圧入力は、押圧の強さにより、１段押圧入力と２段押圧入力に分けられて入力されてもよい。
【０１９２】
前記各場合において、各入力キーセットＣ、Ｖ内の複数感知時の有効信号判別及び各入力キー１０間の干渉防止については、上述した図８における説明に代える。
【０１９３】
以下、図面を参照して、本発明によるデータ入力装置１での具体的な入力例について説明する。
【０１９４】
2009545830.tif 000025
【０１９５】
2009545830.tif 000026
【０１９６】
2009545830.tif 000027
【０１９７】
このような場合、母音入力キーセットＶで押圧入力が発生すると、その以前または以降の母音入力キーセットＶ内でのタッチ入力は無視され、最初信号や最終信号を選択する効果が得られる。
【０１９８】
2009545830.tif 000028
【０１９９】
2009545830.tif 000029
【０２００】
2009545830.tif 000030
【０２０１】
したがって、本発明によるデータ入力装置によると、字音入力キーセットＣと母音入力キーセットＶを異なる同心円上に円形で配列することにより、最短経路を通じて字音と母音、または字音、母音、字音を連続して入力することができる。
【０２０２】
そのため、文字入力速度が最小化する一方、正確な入力が可能であり、円形配列により入力装置の外観が向上する。
【０２０３】
ここで、各入力キーセットＣ、Ｖに含まれる入力キー１０の数は多様である。例えば、それぞれ８つであってもよく、９つ以上であってもよく、７つ以下であってもよい。
【０２０４】
また、字音入力キーセットＣと母音入力キーセットＶの数は、同一であってもまたは異なってもよい。また、各入力キーセットには、各国の文字の個数及び種類により、異なる性格の文字が含まれてもよい。
【０２０５】
2009545830.tif 000031
【０２０６】
ここで、本明細書及び図面において具体的に例示した入力キーの配置については、母音入力キーセットが字音入力キーセット間に配置されること以外には制限されず、各入力キーセット内に含まれた各入力キーの字音文字または母音文字の配置は、制限なく様々な変形が可能であることを明らかにしておく。
【０２０７】
一方、ケース１１０には、上述した入力キー１０以外に、各種のキーがさらに設けられてもよい。例えば、タッチ入力が選択的に行われるように、タッチ感知部３０の作動及び停止を選択するためのタッチ機能選択キー１２１がさらに設けられてもよい。
【０２０８】
または、入力キー１０を通じた文字入力を行うための文字入力モードを選択するためのモード転換キー１２３をさらに有し、タッチ感知部３０は、モード転換キー１２３が選択された場合に作動され、タッチ入力を感知するようになっている。
【０２０９】
ここで、上述したタッチ機能選択キー１２１及びモード転換キー１２３は、例えば、携帯電話のような電子機器において、他の一般機能を行うとき、意図しなかった入力キーの接触によりタッチ入力が生じることを防止する。すなわち、電話通話の際は、使用者は、ケース１１０の両側面を摘んで通話し、またはケース１１０の入力領域が使用者の顔に接触または近接するが、この場合、使用者の意図とは異なり、タッチ入力が行われることがあり得るからである。
【０２１０】
このような場合において、数字入力は、押圧入力により行われてもよく、タッチ入力により行われてもよい。
【０２１１】
一方、入力キー１０は、上述のように、データ入力のみならず、モード転換、メニュー選択、音量調節、カーソル移動、方向指示、またはスクロール機能を行うことができる。前記スクロール機能は、信号がつながるようにマウスに設けられる。
【０２１２】
前記機能は、左右または上下方向の感知される信号により行われ、入力キー１０が放射状で配列された場合、入力キー１０の円弧方向に沿った信号を通じて行われ得る。
【０２１３】
一方、図３４には、本実施例の他の具現例が示されている。図３４を参照すると、リング状で配列された第１入力キー１１の外部に、放射状で配置された複数の第２入力キー１２が設けられ、第１入力キー１１の内部には、内部入力キー１５がさらに設けられている。
【０２１４】
これにより、第１入力キー１１は、タッチによる１段入力、押圧による２段入力が行われ、第２入力キー１２は、タッチまたは押圧により１段入力が行われる。
【０２１５】
該当構成において、英文「ＢＵＳ」を入力するためには、「Ｂ」が割り当てられた第１入力キー１１からタッチを開始し、内部入力キー１５を経て、第２入力キー１２まで進行しながら、「Ｕ」を入力する。次に、スキムを連続して行って、「Ｓ」が位置した第１入力キー１１まで進行する。
【０２１６】
上述のようなスキム入力の際に、有効信号の選択は、図３３に示されているが、このようなスキムが行われるとき、解除または維持されない信号は、全て無視される。そこで、指を離さなくても、所望の文字のみを入力することができ、高速のスキム入力が可能である。
【０２１７】
以上、上述した第１実施例において説明した入力キーにおける１段及び２段入力構成、タッチ入力及び押圧入力、感知方法、制御部の制御方法、スキム入力、２揃い等についての全ての説明は、本発明によるデータ入力装置の全ての実施例に適用されるものである。
【０２１８】
以下、各実施例において、特に拘りがない場合は共通して適用されることを明らかにしておく。
【０２１９】
＜実施例２＞
本発明の実施例２によるデータ入力装置は、入力キー１０が、第１入力キー１１と、第１入力キー１１の内側または外側に隣接して設けられる第２入力キー１２とを有する。
【０２２０】
第１入力キー１１と第２入力キー１２が所定の時間内に同時に選択される組合せ入力が行われる場合、制御部が該当入力キー１０に元々割り当てられた文字とは異なる第３文字をメモリ部から抽出して入力することを要旨とする。
【０２２１】
図１０に示すように、本発明による入力キー１０は、第１入力キー１１と、第１入力キー１１の内側または外側に設けられる第２入力キー１２とを有する。
【０２２２】
第１入力キー１１は、実施例１における円形及び長方形の配列等、様々な変形が可能であり、配列を構成する第１入力キー１１の数にも制限がない。第１入力キー１１が、図１０に示すように、円形で配列される場合、第２入力キー１２は、第１入力キー１１の内側に設けられてもよく、第１入力キー１１の外側に設けられてもよい。
【０２２３】
一方、各第１入力キー１１及び第２入力キー１２には、様々な種類の文字、数字、記号等を含めたデータが割り当てられてもよい。また、文字が割り当てられた場合も、様々な配列方法が可能であるが、例えば、各第１入力キー１１または第２入力キー１２には字音文字が入力され、前記組合せ入力によっては母音文字が入力され得る。
【０２２４】
一方、第１入力キー１１及び第２入力キー１２は、図１０に示すように、物理的に分離された形態を有してもよく、タッチパッドまたはタッチスクリーン上にそれぞれ一定の領域を有するように形成されてもよい。
【０２２５】
第１入力キー１１は、実施例１と同様に、第１文字を入力するための１段入力と、第２文字を入力するための２段入力がそれぞれ行われるようになっているが、１段入力と２段入力は、それぞれタッチ入力と押圧入力であってもよく、１段押圧入力と２段押圧入力であってもよい。
【０２２６】
ここで、入力キー１０で行われる第１文字、第２文字、及び以下、組合せ入力や順次入力等で行われる第３文字〜第７文字は、様々な種類であってもよく、例えば、第１文字及び第２文字は字音文字であり、第３文字〜第７文字は母音文字であってもよい。
【０２２７】
また、前記各場合において、押圧入力は、２段以上の多段入力が可能であることは上述の通りである。
【０２２８】
前記タッチ入力の場合、タッチ感知部３０は、光センサ、超音波センサ、非接触式静電容量センサのような非接触センサであってもよく、接触式静電容量センサ等のような接触センサであってもよい。または、第１入力キー１１または第２入力キー１２の下部に、タッチパッドまたはタッチスクリーン等で用いられる感知方式が適用され得る。
【０２２９】
前記押圧入力の場合、押圧感知部４０は、使用者の押圧により切り替えられる押圧スイッチ、または使用者の押圧により加えられた圧力を感知する圧力センサ等を用いることができる。
【０２３０】
押圧入力後、前記第１入力キー１１の初期位置に復帰させるリターン部材がさらに設けられてもよい。
【０２３１】
各第１入力キー１１がタッチ入力及び押圧入力で構成される場合、押圧入力が発生する度にタッチ入力が感知されるので、制御部は、前記タッチ入力と押圧入力が所定の時間内に一緒に感知されると、前記タッチ入力による信号を無視し、前記押圧入力による信号のみを処理することができる。
【０２３２】
各第１入力キー１１が多段の押圧入力のみで構成される場合、多段の押圧入力は、第１入力キー１１の移動距離または押圧圧力の強さ等で決定されるが、この際、前記１段押圧入力と２段押圧入力との差を与えるために、メタルドーム等のクリック手段をさらに設けてもよい。
【０２３３】
また、１段押圧入力と２段押圧入力との間の有効な信号選択については、上述したタッチ入力と押圧入力との間の信号選択方法が用いられ得る。
【０２３４】
本発明の実施例２によるデータ入力装置は、第１入力キー１１の１段入力または２段入力と、第２入力キー１２とが組み合わされる場合、第３文字が入力される。
【０２３５】
ここで、第１入力キー１１と第２入力キー１２の組合せ入力とは、例えば、第１入力キー１１及び第２入力キー１２が所定の時間内に同時に選択される等の方法によって入力される場合、制御部が、これを新たな入力信号とみなし、第１入力キー１１に元々割り当てられた文字とは異なる新たな文字を入力することをいう。
【０２３６】
図１１は、本発明によるデータ入力装置の文字配列を示す概念図であって、図１１Ａは、ハングル文字入力の状態の一例を示し、図１１Ｂは、数字配列の一例を示す図である。
【０２３７】
図面において下線付きの文字は、１段入力により入力される第１文字を、そうではない文字は、２段入力により入力される第２文字を示し、円の中に記載された文字は、第１入力キー１１と第２入力キー１２の組合せ入力により入力される第３文字を意味する。
【０２３８】
または、第２入力キー１２も複数個であり、それぞれ文字が割り当てられるが、この際は、図１６に示すように、第１文字及び第２文字は第１入力キー１１に、第２入力キー１２に割り当てられた文字は、別途に第２入力キー１２に表示し、第３文字は、第１入力キー１１と第２入力キー１２の境界線に表示して、使用者にとってデータ入力をさらに容易に行うことができる。
【０２３９】
図示のように入力されるデータがハングルである場合、前記第１文字及び第２文字または第２入力キー１２の単独入力による文字には字音文字が割り当てられ、第３文字には母音文字が割り当てられる。この場合、各入力キー１０の入力容量により、いくつかの字音文字または母音文字は、他の入力キー１０を交差させることができることは言うまでもない。
【０２４０】
前記図１１は、配列文字が３列を有する場合を示しており、上記のような構成を有する場合、前記第１入力キー１１から入力される第１文字及び第２文字は字音であることが好ましく、前記第１入力キー１１と第２入力キー１２の組合せ入力により入力される第３文字は母音文字であることが好ましい。
【０２４１】
一方、双字音の入力は、別途の双字音入力キー（図示せず）をさらに備え、双字音入力キーと第１入力キー１１または第２入力キー１２を組み合わせて入力することができる。または、第１入力キー１１の入力を２回連続して行うことにより入力してもよい。
【０２４２】
本発明によるデータ入力装置は、正確な入力のために、第１入力キー１１または第２入力キー１２の信号を感知する感知部２０を、各入力キー１０毎に複数個設けてもよい。
【０２４３】
本実施例によるデータ入力装置は、第１入力キー１１の単独入力と、第１入力キー１１及び第２入力キー１２の組合せ入力とを分けて入力するようになるので、第２入力キー１２への選択が鋭敏に感知される場合は、第１入力キー１１の単独入力の際に入力エラーが生じる可能性が高い。
【０２４４】
したがって、第２入力キー１２の選択を感知する感知部２０を複数個の感知ラインで構成し、特定の個数以上の感知ラインで感知される場合にのみ、有効な信号であると判断することができる。
【０２４５】
図１４は、第１入力キー感知部２１、第２入力キー感知部２２、及び第３入力キー感知部は、それぞれ複数個の感知ラインを含めて構成された例を示す。図１４Ａは、第１入力キー感知部２１、第２入力キー感知部２２、及び第３入力キー感知部が、それぞれ２つの感知ラインで構成された例であり、図１４Ｂは、第１入力キー感知部２１、第２入力キー感知部２２、及び第３入力キー感知部が、それぞれ３つの感知ラインで構成された例である。
【０２４６】
前記感知ラインの数は、条件に応じて多様に構成可能である。図１５は、本発明の実施例２によるデータ入力装置の入力を説明した概念図であって、図１５Ａは、第１入力キー１１の信号処理を、図１５Ｂは、第２入力キー１２の信号処理を、図１５Ｃは、第３入力キーの信号処理を説明する。
【０２４７】
先ず、前記図１５Ａを参照して、第１入力キー１１の信号処理を説明すると、第１入力キー１１の信号を第１入力キー感知部２１が単独で感知（ｅ１参照）すると、第１入力キー１１に単独で割り当てられたデータが入力される。
【０２４８】
第１入力キー感知部２１と第２入力キー感知部２２の感知ラインの一部が同時に感知される場合（ｅ２参照）は、制御部は、さらに正確に感知された第１入力キー感知部２１の信号のみを有効に判断し、第１入力キー感知部２１が単独で感知されるときと同一のデータが入力されるようにする。
【０２４９】
入力エラーを防止する他の方法として、第１入力キー１１と第２入力キー１２の感知信号発生時間が所定の時間間隔以内である場合のみを有効に判断することもできる。
【０２５０】
本発明のデータ入力装置は、第２入力キー１２がスキムする場合、前記制御部が第２入力キー１２の信号を無視し、所定の時間内に第１入力キー１１と第２入力キー１２の信号が感知されたとしても、スキムによる誤入力を防止することもでき、前記入力キー１０から手を離さずに連続して入力することができる効果がある。
【０２５１】
言い換えると、文字のスキム入力を行うとき、移動経路が折れる地点では、感知部位を直線方向にスキムするときよりも、自然にさらに長時間の間指が止まるので、該当地点で感知される信号が長くなり、所定の時間以上入力される信号のみを有効な信号と判断されるようにする。
【０２５２】
通常、入力を開始するときの位置（指が最初に触れた位置）、入力が終了するときの位置（指を最後に離す位置）、及び入力状態が維持されるときの位置は、スキム入力と信号維持時間の差が生じ、この時間の差は極めて微妙であるが、時間設定によって有効な信号と無視される信号を処理することができる。
【０２５３】
したがって、使用者は、別の学習や熟達無しに、自然な指の動きで自然に入力しようとする文字をスキム入力することができるようになる。
【０２５４】
このような入力時間の設定を通じた入力処理（いわば、遅延時間の設定）によって、市中の多くの電子製品やタッチパッドのスクロール機能が行われており、タッチ感知部３０として静電容量センサが設けられ、変位量の差を用いることも、入力時間の差を用いるものと同様に行われる。または、図１３に示すように、第２入力キー１２を半球状とすることにより、第２入力キー１２の周縁が第１入力キー１１との境界部分に位置し、第２入力キー１２が意図的な遂行によってのみ選択されるようにすることもできる。
【０２５５】
または、制御部は、感知部２０で感知された第１入力キー１１と第２入力キー１２の感知信号の中で、所定の時間以上維持される信号のみを有効な信号と判断して入力を行うことができる。
【０２５６】
図１０は、本発明によるデータ入力装置が設けられた使用例であって、次第に薄型・小型化し、高速にデータを入力しなければならない携帯電話に、本発明のデータ入力装置が設けられ得る。
【０２５７】
また、本発明のデータ入力装置は、携帯電話のみならず、データを入力しなければならない様々な情報機器に適用され得ることは当然である。
【０２５８】
一方、本発明の実施例２によるデータ入力装置は、図１２Ａに示すように、第１入力キー１１と、第１入力キー１１の外側に放射状に形成された第２入力キー１２と、第２入力キー１２の外側に放射状に形成された第３入力キー１３とを備えてもよい。
【０２５９】
図１２Ａは、第１入力キー１１が円形に形成され、第２入力キー１２及び第３入力キー１３が、順次に第１入力キー１１の外側にリング状に一体で形成された例を示しているが、第１入力キー１１を含めた各入力キーは、複数の入力キーが分割されて形成され得ることは当然である。図１２Ｂは、図１２に示したデータ入力装置の断面図である。
【０２６０】
第１入力キー１１、第２入力キー１２、及び第３入力キー１３の境界に突出部が形成されて、使用者が見なくても、それぞれの入力キーを区別し、位置把握をさらに容易にすることができる。
【０２６１】
図１６は、第１入力キー１１及び第２入力キー１２の単独入力によっては、各入力キー１０に元々割り当てられた第１文字及び第２文字が入力され、第１入力キー１１と第２入力キー１２の組合せ入力によっては、第３文字が入力される例を示す図である。
【０２６２】
図１６を参照すると、第１入力キー１１は、８つであり、内部の円に放射状で配置されており、第２入力キー１２は、第１入力キー１１の外側に８つ設けられ、放射状で配置されている。
【０２６３】
各第１入力キー１１及び第２入力キー１２には、割り当てられた字音文字が表示されており、第１入力キー１１と第２入力キー１２にかけて表示された母音文字は、第１入力キー１１と第２入力キー１２の組合せ入力によって入力される第３文字を示す。
【０２６４】
2009545830.tif 000032
【０２６５】
また、複数の入力キー１０を流線形でタッチする１回のスキム入力によって、２以上の音素を入力することができる。
【０２６６】
一方、この場合も、第１入力キー感知部２１、及び第２入力キー感知部２２は、それぞれ円周方向及び半径方向に複数個の感知ラインで構成され得る。
【０２６７】
または、図１６に示すように、第１入力キー１１の内部に内部入力キー１５がさらに設けられ、文字、数字、記号または各種の機能が割り当てられていてもよい。
【０２６８】
ここで、内部入力キー１５または第２入力キー１２が第１入力キー１１の内部に設けられる場合は、内部入力キー１５または第２入力キー１２は、割り当てられた文字、数字、記号等のデータ入力、モード変更、エンター、スペース、取消し等の各種の機能入力、または第１入力キー１１との組合せ入力等の中央入力機能を行うことができる。
【０２６９】
以下、上述した中央入力機能は、本明細書の全ての実施例に共通して適用され得る。
【０２７０】
一方、感知部２０は、上述した感知ラインの形状以外も様々な種類であっもよい。例えば、図１７には、円周方向に第１入力キー１１及び第２入力キー１２のそれぞれに５つの感知ラインが形成され、半径方向に３組の感知ラインが形成され、１つの入力部にそれぞれ１５個の感知ラインが設けられた例が示されている。しかしながら、前記感知ラインの配列及び個数は、入力キー１０及び感知ラインが形成される環境に応じて、様々な変形が可能であることは、上述の通りである。
【０２７１】
図１７に示すように、感知部２０が円周方向はもとより、半径方向にも複数個設けられる場合は、感知個数によって第１入力キー１１と第２入力キー１２との間の有効信号の判断はもとより、同一の第１入力キー１１間でも有効信号の判断が可能となる。
【０２７２】
すなわち、１つの第２入力キー感知部２２の内部でのみ感知された場合（ｅ１）、２つの第２入力キー感知部２２にかけて感知されたが、感知面積が一方に偏った場合は、全て所定の第２入力キー１２への入力のみを有効に判断するものである。
【０２７３】
したがって、本発明によるデータ入力装置は、それぞれの入力キー１０の領域に複数個の感知ラインが設けられ、２つ以上の入力キー１０が感知されても、感知される領域を比較して、使用者の意図を判断することができ、狭小な空間でも高速のデータの入力を可能にする長所がある。
【０２７４】
すなわち、狭小な面積に複数個の入力キー１０が密に配置される場合も、上述した方法を用いて、入力キー１０間の「干渉」による入力エラーを防止することができる。
【０２７５】
一方、図３３には、本実施例の他の具現例が示されている。図３３Ａ及び図３３Ｂを参照すると、外部には８つの第１入力キー１１が設けられ、内部には４つの第２入力キー１２が設けられている。
【０２７６】
円弧外に表示された文字は、タッチ入力により入力される文字であり、円弧内に表示された文字は、押圧入力により入力される文字であり、第１入力キー１１と第２入力キー１２との間にある四角内の文字は、組合せ入力により入力される文字を示す。
【０２７７】
ここに、英文「ＢＵＳ」を入力する際は、第１入力キー１１の該当位置から出発（「Ｓ」を入力）し、組合せ入力により「Ｕ」を入力し、さらに第１入力キー１１に復帰して、「Ｓ」を入力するものである。
【０２７８】
このように、所定の順次組合せの際のみ、第３文字が入力されるようにし、第１入力キー１１間でも、最初発生信号と、最初信号が発生した後、信号が解除（最終）または維持される部分でのみ、第１文字または第２文字が入力されるようにすると、それぞれの文字毎に別途の入力動作を取らずに、引き続き１回の流線形のスキム動作で極めて高速に一単語ずつ入力することができるようになる。
【０２７９】
一方、第２入力キー１２は、タッチや押圧により入力され得るが、より好ましくは、タッチ入力であることがよい。
【０２８０】
図３３Ａは、第２入力キー１２が内側に位置されている実施例であり、図３３Ｂは、外側に位置されている実施例である。
【０２８１】
上述した図３４でも、最初発生信号と、最初信号が発生した後、信号が解除（最終）または維持される部分でのみ、第１文字または第２文字が入力されるようにすると、それぞれの文字毎に別途の入力動作を取らずに、引き続き１回の流線形のスキム動作で極めて高速に一単語ずつ入力することができるようになる。
【０２８２】
一方、本実施例のように、第１入力キー１１及び第２入力キー１２を設けた場合は、組合せ入力による第３文字が割り当てられた入力キー１０をさらに設ける必要がないので、同一の入力容量で入力空間を最小化することができる。
【０２８３】
このように、本発明のデータ入力装置は、連続した入力動作で、繰返し動作が不要となり、使用者の不注意による誤作動を防止することができ、正確なデータの入力が可能であり、簡易な構成と使用方法によりデータ入力の便利さを提供することができる。
【０２８４】
一方、本実施例によるデータ入力装置は、入力領域の左右または上下に２揃いで設けることにより、入力容量を極大化することができる。
【０２８５】
＜実施例３＞
本発明の実施例３によるデータ入力装置は、複数の入力キー１０に隣接して設けられた転換入力部５５をさらに有し、制御部が、入力キー１０及び転換入力部５５が順次選択される順次入力により、第４文字をメモリ部から抽出して入力することを要旨とする。
【０２８６】
各入力キー１０の単独入力によっては字音文字が入力され、入力キー１０、転換入力部５５の順序による順次入力によっては母音文字が入力される。この場合、反対の順序による順次入力によっては、何らの入力も行われないようにしてもよい。または、転換入力部５５、入力キー１０の順序による順次入力によって、母音文字が入力される。この場合も、反対の順序による順次入力によっては、何らの入力も行われないようにしてもよい。
【０２８７】
一方、複数の入力キー１０は、円形で配置されてもよいが、制御部は、円周方向に沿って複数の入力キー１０が順次選択される円周入力が行われる場合、最後に選択された入力キー１０に割り当てられた文字のみを有効に抽出して入力することができる。
【０２８８】
または、入力キー１０の内部に対応する円の中心に設けられた転換入力部５５をさらに含んでもよい。この場合、制御部は、第１入力キー１１及び転換入力部５５の順に順次選択される内部順次入力、またはその反対の順で選択される外部順次入力が行われると、第４文字をメモリ部から抽出して入力することができる。
【０２８９】
上述した場合において、入力キー１０または転換入力部５５のいずれかには、割り当てられた母音を入力するための前記順次入力の方向が表示され得る。ここで、前記入力キー１０または転換入力部５５は、入力領域に２揃いで設けられてもよい。
以下、添付図面を参照して、本発明の実施例３によるデータ入力装置について詳述する。
【０２９０】
各入力キー１０は、上述した各実施例と同様に、第１文字を入力するための１段入力及び第２文字を入力するための２段入力が、それぞれ独立的に行われるように設けられている。
【０２９１】
前記１段入力及び２段入力は、タッチ入力と押圧入力で構成されてもよく、多段の押圧入力のみで構成されてもよいことは、上述の通りである。また、各場合において、押圧入力を２段（または３段）以上としてもよい。
【０２９２】
図１８を参照すると、入力キー１０は、８つであり、入力領域Ｐに放射状に配置されてもよく、各入力キー１０は、スキム入力が可能なように、ケース１１０と同一の高さまたはほぼ類似した高さで突出形成されてもよい。この際、複数の入力キー１０は、個別の構成品ではなく、一体型であるリングタイプで形成されてもよい。
【０２９３】
入力キー１０が一体型のリングタイプである場合、８つの入力キーのように、放射状の８つ方向に方向押圧機能を有するようになる。また、前記リングタイプは、円形及び多角形を含むことは当然である。
【０２９４】
各入力キー１０には、２以上の第１文字が重複して割り当てられる。これは、日本語文字のように、多数の音素を有する場合にさらに効果的である。
【０２９５】
すなわち、入力キー１０が８つである場合、入力キー１０の１段入力と２段入力にそれぞれ１６個の第１文字が割り当てられ、入力キー１０と転換入力部５５の順次入力によって、８つの第４文字が割り当てられるので、合計２４個の文字割当てが可能である。
【０２９６】
したがって、ハングルの場合は、入力キー１０の個数や多段入力を追加しなくても、全ての音素を配置することができ、アルファベットや日本語または漢字のように音素の数が多い場合は、入力キー１０の追加、多段入力の追加、または２揃い構成等の様々な方法で入力容量を増加させることができる。
【０２９７】
ここで、文字入力の場合、第１文字には字音が割り当てられ、第４文字には母音が割り当てられ得る。
【０２９８】
これは、各国の文字において、母音の場合、字音に比べて相対的に少数で設けられるので、入力容量を比較的自由に増加させることができる入力キー１０に字音文字を配置し、順次入力には母音文字を配置するものである。
【０２９９】
転換入力部５５は、多様な位置に多様な形状で設けられ、例えば、図１８に示すように、入力キー１０の内側または外側に形成され、円板状またはリング状等に形成され得る。
【０３００】
図１８Ａは、転換入力部５５が入力キー１０の内側に円板状に設けられた一実施例であり、図１８Ｂは、転換入力部５５が入力キー１０の外部に一体型のリングタイプに設けられた一実施例である。
【０３０１】
図１９は、本発明によるデータ入力装置の他の実施例であって、入力キー１０が長方形の配列で形成されたものを示す。
【０３０２】
図面を参照すると、入力キー１０は、それぞれ４つの入力キーが２列で配列されている。
【０３０３】
転換入力部５５は、図１９Ａのように入力キー１０の中央に配置されてもよく、図１９Ｂのように前記入力キー１０の両側に形成されてもよい。ここで、図１９に示したデータ入力装置は一実施例であり、入力キー１０の数と配列の数は、様々に変更可能であることは言うまでもない。
【０３０４】
一方、転換入力部５５は、タッチ入力、押圧入力、タッチ／押圧入力のような方式の入力が可能となり、個別に別途の入力またはモード変換のような機能を行うこともでき、具体的に、携帯電話の通話／終了機能や確認／終了の入力キーとして用いられてもよい。
または、入力キー１０のように、モード転換、メニュー選択、音量調節、カーソル移動、方向指示、またはスクロール機能が行われ得る。
【０３０５】
図２０は、本発明の実施例３によるデータ入力装置のまた他の実施例を示す斜視図であって、本実施例による入力キー１０は、第１入力キー１１と第３入力キー１３からなってもよい。
【０３０６】
第３入力キー１３は、第１入力キー１１または転換入力部５５との組み合わせられた動作でデータが入力され、図２０に示した例ではなくても、携帯電話の通話／終了キーのように、別途の個別のキーが、第１入力キー１１または転換入力部５５に近接して設けられ、使用頻度が高い機能を行うことができる。
【０３０７】
または、第１入力キー１１のタッチ入力によって第１文字が入力され、第１入力キー１１と転換入力部５５の順次入力によって第４文字が入力され、第１入力キー１１と第３入力キー１３の順次動作によっても新たな文字が入力され得る。
【０３０８】
また、転換入力部５５は、入力キー１０との順次動作によって文字が入力されるようにすることができる。特に、第３入力キー１３がさらに設けられる場合、第３入力キー１３を用いて多数個の文字、記号、数字等を、モード変換無しに、直接入力が可能であるので、より高速の入力を可能にする長所がある。
【０３０９】
第３入力キー１３は、入力キー１０と転換入力部５５が近接に位置し、入力キー１０と転換入力部５５の動作によってデータが入力される形態であれば、図１８〜図２０に示したもの以外の様々な形態に作製されてもよい。
【０３１０】
入力キー１０に配置される第１文字は、２以上が重複して割り当てられ、前記第１文字には字音文字が配置され、第４文字には母音文字が配置されてもよい。
【０３１１】
入力される文字によって字音と母音の位置が、上述したものと反対に配列されてもよいが、字音と母音のうち、その個数が多く、使用頻度が高いものが入力キー１０を通じて入力され、そうではないものが、入力キー１０と転換入力部５５の順次動作によって入力されることが好ましい。
【０３１２】
また、上述とは異なる様々な形態で文字が配列され、前記文字のみならず、多様な数字、記号、命令語等が配列されてもよい。
【０３１３】
また、入力キー１０の配列文字で、全体文字の配列が困難である場合は、図２１に示すように、転換入力部５５のタッチまたは押圧入力を通じても入力可能にすることができる。
図２１は、本実施例によるデータ入力装置の文字位置を示す図であって、それぞれハングル、アルファベット、数字の具体的な配置形態である。
【０３１４】
アルファベットの場合、図２１Ｂに示すように、入力キー１０が８つである場合は、１段入力と２段入力によって１６個を配置し、転換入力部５５との順次入力によって８つを配置し、残りの２つは、転換入力部５５にタッチ入力及び押圧入力の形態で配置してもよい。
【０３１５】
または、転換入力部５５をタッチ入力または押圧入力のいずれか１つのみで構成する場合は、引き続き２回入力すると、文字が変換される方法を適用することができ、入力キー１０と転換入力部５５の内外側に別途の入力キーを設けてもよく、転換入力部５５上の左右２方向または上下２方向にタッチまたは押圧入力またはチルト機能を設けて配列してもよい。
【０３１６】
2009545830.tif 000033
【０３１７】
この際、中央の区別される信号は、タッチを２回連続して入力することもでき、タッチ入力及び押圧入力を通じて具現されてもよく、転換入力部５５は、上記のような入力動作として、モード転換、確認、取消し、電話モードの際は、通話／終了等の機能として用いられる。
【０３１８】
または、転換入力部５５の方向入力機能を通じても、モード転換、確認、取消し、電話モードの際は、通話／終了等の機能として用いられる。
【０３１９】
また、転換入力部５５は、方向移動または方向押圧が可能に設けられ、マウスやゲーム時のジョイスティックとしての機能で使用可能に設けられる。
【０３２０】
順次入力は、入力キー１０と転換入力部５５の順次の選択動作によって第４文字を入力するものである。順次入力は、入力キー１０と転換入力部５５の前後関係によって、それぞれ異なる信号が入力され、同一の１つの信号が入力されるようにしてもよい。
【０３２１】
前者の場合、順次入力は、２種類を全て用いることもできるが、いずれか１つのみを選択的に用いることもできる。すなわち、入力キー１０、転換入力部５５の順での順次入力（図２２Ａ）のみを有効に判断し、その反対の順次入力（図２２のＢ）によっては、何らのデータも入力されないようにすることができる。
【０３２２】
一方、本実施例によるデータ入力装置でも、スキム入力が可能である。
【０３２３】
2009545830.tif 000034
【０３２４】
ここで、最終感知信号を判断する方法は、例えば、多数の感知信号が引き続き発生するとき、ある一時点、最小限ある一信号でも信号感知が絶えることなく持続的に発生してから、信号が切れると、これを最終感知信号と判断し、または、２以上のスキム入力がそれぞれ所定の時間間隔内に連続して感知されてから、所定の感知信号から前記所定の時間以上、次の感知信号が発生しない場合、これを最終感知信号と判断することができる。
【０３２５】
図２４は、本実施例の入力動作を説明するための概念図である。
【０３２６】
2009545830.tif 000035
【０３２７】
2009545830.tif 000036
【０３２８】
一方、入力キー１０ｃから１０ｄへのスキム入力には、最終信号のみを有効に判断する方法が適用されている。
【０３２９】
2009545830.tif 000037
【０３３０】
2009545830.tif 000038
【０３３１】
この際、入力キー１０ｊから転換入力部５５への順次入力は無視され、転換入力部５５から入力キー１０ｉへの順次入力では、入力キー１０ｉの単独入力が無視される。
【０３３２】
2009545830.tif 000039
【０３３３】
ここで、入力キー１０に含まれた各入力キー間の入力では、前記入力キーが２つ以上連続して入力されるときは、最初入力信号と最終入力信号のみが入力されるようにすることができる。
【０３３４】
一方、図２５Ｃ及び２５Ｄには、アルファベットの入力例が示されている。
【０３３５】
先ず、図２５Ｃを参照すると、(1)は、英文「ＲＡＳＥＲ」を入力するためのスキム入力経路であり、(2)は、「ＴＨＥ」を入力するためのスキム入力経路である。
【０３３６】
最終入力信号の判断方法は、上述の通りであり、スキム入力（スキム）中、行毎に最終入力の際に指をそのまま入力キーから離すと、タッチ入力時の文字が入力され、押圧入力を行った後に離すと、押圧入力時の文字が入力される。
【０３３７】
これにより、使用者は、字音または母音を入力すると共に（別途の個別の入力動作無しに）、前記入力キー内でのまた他の文字をスキム入力で入力することができ、それぞれの入力キーを別個の動作でタッチまたは押圧して入力するものではなく、１つの流線形の動作で入力することができるようになる。
【０３３８】
すなわち、使用者は、字−母−字の入力の際に、先ず、入力キー１０から入力しようとする字音をタッチ入力や押圧入力で選択し、２番目で入力しようとする母音を、前記転換入力部５５を経て（タッチ入力）、入力キー１０をタッチすることにより選択し、３番目で入力キー１０上で入力しようとする字音をタッチ入力や押圧入力で選択するようになる。
【０３３９】
この際、前記３番目の字音入力の際には、２番目の母音入力の後、個別の動作で入力することができるが、上述のように、スキム入力によって、２番目の母音入力が行われると共に引き続き入力することがさらに好ましい。
【０３４０】
すなわち、本発明の入力方法は、字−母または字−母−字の入力の際に、それぞれ個別の動作による入力ではなく、１回の流線形のスキム動作で入力を完了することができる。
【０３４１】
多くの言語は、字音と母音で構成されており、多くの単語は、字−母または字−母−字の組合せからなっており、１つの単語は、平均４．７個の音素を用いる。
【０３４２】
したがって、本発明のような入力方法を取って文字を入力すると、１回の流線形のスキム動作で、１文字〜１単語ずつを極めて高速かつ便利に入力することができる。字−母または字−母−字の形態だけでなく、字−字−母、母−母−字、母−字−母、母−字−字等の形態も、上述のように入力することができるのは言うまでもない。
【０３４３】
一方、上述した各実施例において、図２４及び図２５に示すように、転換入力部５５または入力キー１０のいずれか１つには、順次入力の方向を示す矢印等の表示がさらに設けられてもよい。
【０３４４】
＜実施例４＞
本発明の実施例４によるデータ入力装置は、複数の入力キー１０が円形で配置され、各入力キー１０には第５文字が重複して割り当てられ、イベント入力が感知される場合、制御部で前記第５文字をメモリ部から抽出して入力することを要旨とする。
【０３４５】
前記イベント入力の種類は多様であるが、例えば、前記スキム入力の遂行中、所定の入力キー１０から手を離し、タッチ感知信号を解除するものであってもよい。すなわち、入力キー１０での信号解除によるものであり、例えば、感知時間の差、感知される電流値の差、または感知される圧力の差により区別され得る。
【０３４６】
図２６を参照すると、前記信号解除方法を用いたイベント入力について説明すると、使用者が入力キー１０の一部分Ａ１をタッチすると、該当入力キー１０に割り当てられた第１文字が入力され、円弧方向に沿って複数の入力キー１０をスキムしながら入力を持続した後、所定の位置Ａ３で手を離して信号を解除すると、これをイベント入力と判断し、該当位置に割り当てられた第１文字の代わりに第５文字を入力するものである。
【０３４７】
感知時間の差によるイベント入力は、Ａ１位置で第１文字を入力した後、Ａ２を経てスキム入力を行った後、Ａ３位置で、設定時間以上、感知信号が持続すると、制御部は、これをイベント入力と判断し、Ａ３位置に割り当てられた第５文字を入力するものである。
【０３４８】
もちろん、Ａ２位置で感知時間が設定時間以内であれば、第５文字の代わりにＡ２位置に割り当てられた第１文字が入力される。
【０３４９】
上述した感知時間の差によるイベント入力は、スキム入力の中間段階でも行われるが、例えば、Ａ１位置からＡ３位置までスキム入力を行う間、Ａ２位置で設定時間以上止まる場合は、Ａ２位置に割り当てられた第５文字が入力される。
【０３５０】
したがって、この場合は、Ａ１位置に割り当てられた第１文字、Ａ２位置に割り当てられた第５文字、及びＡ３位置に割り当てられた第１文字が順次入力されるものである。
【０３５１】
イベント入力は、信号の維持または解除以外にも、圧力値や静電容量値等の様々な信号の変化で処理することができる。
【０３５２】
または、イベント入力は、入力キー１０の押圧方向の横方向に側面を押して行うこともできる。または、イベント入力は、各入力キー１０で行われるスキムの方向を異にして行われてもよい。すなわち、各入力キー１０のタッチや、円周方向へのスキムの場合は、単独入力とし、半径方向へのスキムによっては、イベント入力とすることができる。
【０３５３】
この場合、タッチ感知部３０は、各入力キー１０でのタッチまたは円周方向へのスキムを感知する第１タッチ感知部３０ａ、及び各入力キー１０での半径方向へのスキムを感知する第２タッチ感知部３０ｂを有する。
【０３５４】
または、イベント入力は、母音から入力した後、円周方向へ移動タッチしてから、イベント入力が発生すると、反対に字音が入力されるようにすることもできる。
【０３５５】
一方、イベント入力の際に、所定の入力キー１０に重複して割り当てられている字音と母音を入力しようとするときは、該当入力キー１０へのタッチを所定の時間維持する等の方法を用いることができる。
【０３５６】
2009545830.tif 000040
【０３５７】
入力キー１０は、図２６〜図２８に示すように、円形で配置された第１入力キー１１と、第１入力キー１１の内側または外側に隣接して設けられた第２入力キー１２とで構成されてもよい。
【０３５８】
図２６には、一体形のリング状を有する第１入力キー１１の内部に第２入力キー１２が設けられたものである。
【０３５９】
第１入力キー１１は、下側にベアリング等の転がり手段が設けられ、円周方向へ回転可能に設けられてもよい。
【０３６０】
図２７には、複数の第１入力キー１１がそれぞれ別途に設けられ、円形で配置された例が示されている。この場合、図２７Ｂに示すように、それぞれの第１入力キー１１を個別に選択することができるので、一体型に比べて使用者にさらに正確なクリック感を与えることができる長所がある。
【０３６１】
一方、第１入力キー１１は、様々な形態で配置されてもよく、例えば、図２６及び図２７に示すように、円形で配置されてもよく、図２８に示すように、多角形状で配置されてもよい。もちろん、上述した実施例と同様に、長方形状で配置されてもよい。
【０３６２】
一方、第１入力キー１１が円形または多角形の形態で配置される場合は、円周方向に沿って感知される信号を通じて、マウススクロールまたは音量調節のような機能を行うことができる。
【０３６３】
第２入力キー１２は、図２６〜図２８に示すように、第１入力キー１１の内側に円板状に設けられてもよく、第１入力キー１１の外側にリング状に設けられてもよい。
【０３６４】
第１入力キー１１及び第２入力キー１２は、上述した実施例以外にも、様々な形状及び配置で、制限されることなく、設けられ得ることは言うまでもない。
【０３６５】
一方、制御部は、第１入力キー１１と第２入力キー１２を所定の時間内に同時に選択する組合せ入力が行われる場合、該当入力キー１０に元々割り当てられた文字とは異なる第３文字をメモリ部から抽出して入力することができる。
【０３６６】
図２９は、本実施例によるデータ入力装置の断面図である。図２９を参照すると、外部にリング状の第１入力キー１１が設けられ、第１入力キー１１の内部には、円板状の第２入力キー１２が設けられており、第１入力キー１１の下部には、押圧入力を感知する第１入力キー感知部２１が設けられる。ここで、第１入力キー１１へのタッチ入力を感知するためのタッチ感知部３０がさらに設けられてもよい。
【０３６７】
第１入力キー１１または第２入力キー１２は、上述のように、１段入力及び２段入力がそれぞれ独立的に行うように設けられ、１段はタッチ入力とし、２段は押圧入力とすることができ、１段及び２段が共に、押圧入力で構成されてもよい。
【０３６８】
第２入力キー１２が、図２６〜図２９に示すように、第１入力キー１１の内側に円板状で設けられる場合、第２入力キー１２の中央と周縁には、２つの信号が区別されて感知されるようにすることができる。
【０３６９】
第２入力キー１２は、放射方向（好ましくは、４または８方向）にタッチ入力／押圧入力または１段押圧入力／２段押圧入力を行うようにすることができる。
【０３７０】
第１入力キー１１の大きさ及び利用環境に応じて、東西南北の４方向以外も、前記タッチ入力／押圧入力または１段押圧入力／２段押圧入力機能が追加され得ることは言うまでもない。
【０３７１】
一方、第２入力キー１２には、タッチパッドまたはタッチスクリーン機能が設けられてもよく、放射状に水平移動が可能であり、前記タッチパッドや水平移動を通じて、マウス機能が行われてもよい。この場合、周縁での入力によっては、マウスの左右ボタンの機能を行うことができる。または、第２入力キー１２を通じて筆記体等の文字認識機能を行うこともできる。
【０３７２】
上述した機能は、本実施例にのみ限定されるものではなく、他の実施例でも制限なく適用され得ることは言うまでもない。
【０３７３】
第２入力キー１２が、第１入力キー１１の外側にリング状で設けられる場合も、１段入力及び２段入力がそれぞれ可能に設けられてもよい。
【０３７４】
2009545830.tif 000041
【０３７５】
第２入力キー１２は以外にも、モード変更、文字入力の際にカーソル移動が行われてもよい。または、図３０に示すように、第２入力キー１２の方向移動によって、マウスポイントを動き、または数字または記号を入力し、または各種のモード変更、またはエンターキー、スペースキー、取消キー、カーソル移動等の各種の命令キーを入力することもできる。
【０３７６】
この場合、第２入力キー１２の放射状移動を感知する移動感知部（図示せず）をさらに備えてもよく、制御部は、第２入力キー１２の移動が感知された該当放射方向に割り当てられた第６文字をメモリ部から抽出して入力することができる。
【０３７７】
または、第２入力キーは移動されないが、第２入力キー１２で行われるタッチ移動の方向に沿って、これに割り当てられた第６文字を入力することもできる。この場合、タッチ感知部３０は、タッチの移動方向を感知可能に設けられなければならない。
【０３７８】
図３１は、本実施例によるデータ入力装置のハングル、英文、数字の配列状態の一実施例を示す概念図である。先ず、図３１Ａのハングルである場合、その個数が多く、使用頻度が高い字音（第１文字）が第１入力キー１１に重複して割り当てられ、イベント入力によって入力される母音（第５文字）が円の中に表示されている。
【０３７９】
2009545830.tif 000042
【０３８０】
2009545830.tif 000043
【０３８１】
2009545830.tif 000044
【０３８２】
2009545830.tif 000045
【０３８３】
2009545830.tif 000046
【０３８４】
図３２は、本発明によるデータ入力装置が装着された携帯用移動体通信端末１００である。
【０３８５】
本発明のデータ入力装置は、携帯用移動体通信端末１００のみならず、データを入力しなければならない様々な情報機器に適用され得る。本発明は、変換信号の感知によってデータが入力され、繰返し入力を防止し、使用者の動作を減らすことができ、高速かつ正確に多量のデータを入力することができるという長所がある。
【０３８６】
一方、本発明によるデータ入力装置は、携帯用移動体通信端末１００のケース１１０の両側に２揃いで設けられてもよい。
【産業上の利用可能性】
【０３８７】
したがって、本発明によるデータ入力装置は、１つの入力キーで１段入力及び２段入力をそれぞれ独立的に行うことができるので、入力容量を２倍と増加させることができる。
【０３８８】
また、従来、入力キーに重複して割り当てられた文字を選択するための操作回数を半分以下に減らすことができ、入力時間が減少され、使用者の便宜性が増大される。
また、各入力キーを母音入力キーセットと字音入力キーセットに分け、母音入力キーセットを字音入力キーセット間に配置する。
【０３８９】
このため、文字入力時の連続した動作によって、最短経路を通じて、字音と母音または字音、母音、字音を連続して入力することができるので、文字入力速度を最小化する一方、正確な入力が可能である。
【０３９０】
また、第１入力キーと第２入力キーの同時動作を用いて、  面積内でも多量のデータを入力することができ、連続した入力動作で繰返し動作が不要となり、使用者の不注意による誤作動を防止することができ、正確なデータの入力が可能となるという長所がある。
【０３９１】
また、本発明のデータ入力装置は、簡易な構成と使用方法により、データ入力の便利さを提供することができ、様々な情報機器に適用可能であり、前記情報機器の軽量化及び小型化が得られるという長所がある。
【０３９２】
また、本発明によるデータ入力装置は、入力キーと第２入力キーの順次動作によって、狭小な面積内でも多量のデータを入力することができ、連続した入力動作で繰返し動作が不要となり、使用者の不注意による誤作動を防止することができ、正確なデータの入力が可能となるという長所がある。
【０３９３】
また、本発明にデータ入力装置は、イベント入力によって、新たなデータが入力されるようにし、狭小な面積内でも多量のデータを入力することができ、連続した入力動作で繰返し動作が不要となり、使用者の不注意による誤作動を防止することができ、正確なデータの入力が可能となるという長所がある。
【０３９４】
以上、本発明のいくつかの実施例が説明されているが、当業者であれば、これらの実施例が、本発明の原則と精神を逸脱せずまた請求の範囲とその均等物で定められる範囲内で、変更が可能であることが理解されるだろう。
【図１】
2009545830.tif 000047
【図２】
2009545830.tif 000048
【図３（ａ）】
2009545830.tif 000049
【図３（ｂ）】
2009545830.tif 000050
【図４（ａ）】
2009545830.tif 000051
【図４（ｂ）】
2009545830.tif 000052
【図５（ａ）】
2009545830.tif 000053
【図５（ｂ）】
2009545830.tif 000054
【図６】
2009545830.tif 000055
【図７】
2009545830.tif 000056
【図８（ａ）】
2009545830.tif 000057
【図８（ｂ）】
2009545830.tif 000058
【図９】
2009545830.tif 000059
【図１０】
2009545830.tif 000060
【図１１（ａ）】
2009545830.tif 000061
【図１１（ｂ）】
2009545830.tif 000062
【図１２（ａ）】
2009545830.tif 000063
【図１２（ｂ）】
2009545830.tif 000064
【図１３】
2009545830.tif 000065
【図１４】
2009545830.tif 000066
【図１５（ａ）】
2009545830.tif 000067
【図１５（ｂ）】
2009545830.tif 000068
【図１５（ｃ）】
2009545830.tif 000069
【図１６】
2009545830.tif 000070
【図１７】
2009545830.tif 000071
【図１８（ａ）】
2009545830.tif 000072
【図１８（ｂ）】
2009545830.tif 000073
【図１９（ａ）】
2009545830.tif 000074
【図１９（ｂ）】
2009545830.tif 000075
【図２０】
2009545830.tif 000076
【図２１（ａ）】
2009545830.tif 000077
【図２１（ｂ）】
2009545830.tif 000078
【図２１（ｃ）】
2009545830.tif 000079
【図２１（ｄ）】
2009545830.tif 000080
【図２２（ａ）】
2009545830.tif 000081
【図２２（ｂ）】
2009545830.tif 000082
【図２３】
2009545830.tif 000083
【図２４（ａ）】
2009545830.tif 000084
【図２４（ｂ）】
2009545830.tif 000085
【図２５】
2009545830.tif 000086
【図２６】
2009545830.tif 000087
【図２７（ａ）】
2009545830.tif 000088
【図２７（ｂ）】
2009545830.tif 000089
【図２８】
2009545830.tif 000090
【図２９】
2009545830.tif 000091
【図３０】
2009545830.tif 000092
【図３１（ａ）】
2009545830.tif 000093
【図３１（ｂ）】
2009545830.tif 000094
【図３１（ｃ）】
2009545830.tif 000095
【図３１（ｄ）】
2009545830.tif 000096
【図３２】
2009545830.tif 000097
【図３３（ａ）】
2009545830.tif 000098
【図３３（ｂ）】
2009545830.tif 000099
【図３４】
2009545830.tif 000100
【国際調査報告】
2009545830.tif 000101
2009545830.tif 000102